(57)【要約】      （修正有）【課題】ユーザによる煩雑な操作を要求することなく、機器が表す内容を変更する装置及びプログラムを提供する。【解決手段】ナビゲーション装置は、当該装置を装着する対象となる機器の意匠を異ならせるための意匠が施される部材と、所定の情報を前記機器に対して出力する出力手段と、を備え、所定の情報を使用して機器が行なう報知の出力内容と、当該装置が前記機器に装着された状態の機器の意匠と、を知覚したユーザが、報知の出力内容及び意匠に統一感を覚えるように、部材と、所定の情報と、を組み合わせて構成する。さらに同じ意匠をもつ別装置が同時に使用されている場合は、さらに別情報で報知する【選択図】図１
2020027672.tif 000002
【特許請求の範囲】
【請求項１】
所定のキャラクターによる報知を行う装置（以下本装置ともいう）であって、
前記所定のキャラクターと同じキャラクターによる報知を行う別装置が本装置と同時に使用されているか否かを判定する機能を備え、
前記所定のキャラクターと同じキャラクターによる報知を行う別装置が本装置と同時に使用されていると判定した場合には、前記所定のキャラクターとは別のキャラクターによる報知を行うこと
を特徴とする装置。
【請求項２】
前記別装置による前記所定のキャラクターによる報知、前記本装置による前記所定のキャラクターによる報知及び前記別のキャラクターの報知は、表示及び音声による報知としたこと
を特徴とする請求項１に記載の装置。
【請求項３】
前記別のキャラクターによる報知は、メッセージの報知であり、キャラクターだけでなく当該メッセージの内容も変更も変更すること
を特徴とする請求項１または２に記載の装置。
【請求項４】
前記別装置と本装置は、前記所定のキャラクターと同じキャラクターによる報知を行う別装置が本装置と同時に使用されていないときに、同じ事象の発生に基づき前記所定のキャラクターによる報知を行う機能を備えること
を特徴とする請求項１から３のいずれかに記載の装置。
【請求項５】
前記所定のキャラクターと同じキャラクターによる報知を行う別装置が本装置と同時に使用されていると判定した場合には、前記同じ事象の発生後、前記別装置と本装置がタイミングをズラして報知を行う機能を備えること
を特徴とする請求項４の記載の装置。
【請求項６】
前記別のキャラクターは前記所定のキャラクターと異なるキャラクターであって前記所定のキャラクタと所定の関係性を有するキャラクターとすること
を特徴とする請求項１から５のいずれかに記載の装置。
【請求項７】
請求項１から６のいずれかに記載のシステムの機能をコンピュータに実現させるためのプログラム。
【発明の詳細な説明】
【技術分野】
【０００１】
本発明は、ユーザに対して情報を提供する機器に装着する装置に関する。
【背景技術】
【０００２】
多様な機器において、音声メッセージを出力する機能が実装されている。具体的には、状況の変化や、ユーザの操作等に応じて音声メッセージを出力することにより、ユーザに状況が変化したことを通知したり、ユーザに更なる操作を促したりするような機能である。
【０００３】
例えば、カーナビゲーション装置について音声メッセージを出力することについて考える。車両等の運転中にカーナビゲーション装置の表示画面を注視すると、ユーザは周囲の状況を把握することが疎かとなり、危険である。そのため、カーナビゲーション装置には音声メッセージにより運行案内を行なう機能が実装されることが多い。
【０００４】
また、同様に、車両等の運転中に事故等が発生したことを通知できるように、ドライブレコーダにも音声メッセージを出力する機能が実装されるようなこともある。
【０００５】
ただし、カーナビゲーション装置やドライブレコーダによる音声メッセージの出力は、もっぱら情報の伝達を目的とするものである。そのため、通常はカーナビゲーション装置から出力される音声メッセージには、機械音や単一合成音声といった単調なものが使用される。
【０００６】
このような単調な音声メッセージでは、ユーザの音声メッセージに対する注意力が低下し、聞き逃しや聞き取りが困難であるという問題が生じ得る。また、仮に聞き取りができ、ユーザに情報が伝達できたとしても、そこにはエンターテイメント性はなく、ユーザの興味を引くような付加価値はないと言える。
【０００７】
これらの点に鑑みて、複数のキャラクターに対応した、複数種類の音声を用意しておき、これら複数種類の音声を使い分けることによって、ユーザの興味を引き、ユーザによる聞き取りを確実なものとする、という技術が存在する。このような技術の一例が、例えば特許文献１に記載されている。
【０００８】
特許文献１に記載の技術では、発声するキャラクターをメッセージ毎に変更することにより、ユーザの聞き逃しがなく、聞き取りやすい音声案内を行うことを課題としている。
【０００９】
そして、特許文献１に記載の技術では、この課題を解決するために、複数のキャラクターによる音片データをキャラクター毎に識別子を付して記憶する音片データ記憶手段を設ける。また、この識別子と文章データに含まれるキャラクター種類コードとを対応付けておく。更に、文書データを音声メッセージとして出力する際に、文章データと対応する音片データを検出し、音片編集手段で検出した音片データから合成音声データを生成し音声出力手段で音声として発声する。
【００１０】
このようにして、特許文献１に記載の技術では、出力する文章データの内容に応じて複数種類の音声を使い分ける。そのため、特許文献１に記載の技術では、音声の発声にバリエーションを与え、キャラクターの違いにより案内内容の差別化を図ることができ、上述した課題を解決することができる。
【先行技術文献】
【特許文献】
【００１１】
【特許文献１】特開２００６−３３７４３２号公報
【発明の概要】
【発明が解決しようとする課題】
【００１２】
上述した特許文献１に記載の技術のような技術を利用することにより、複数種類の音声を使い分けることが可能となる。
【００１３】
しかしながら、上述した特許文献１に記載の技術のような技術では、少なくとも、以下に述べる二つの問題が生じていた。
【００１４】
一つめの問題は、同じ文章データであれば、常に同じキャラクターの音声により出力がされるという問題である。上述した特許文献１に記載の技術のような技術では、文章データの内容に応じて、文章データと対応するキャラクターとを一対一で対応付けていた。そのため、異なる文章データであれば異なるキャラクターの音声メッセージが出力されるが、同じ文章データであれば、常に同じキャラクターの音声メッセージが出力されることとなる。
【００１５】
結果として、音声メッセージが単調なものとなり、ユーザの興味を引けない、という問題を完全に解消することはできていなかった。
【００１６】
また、この問題を解決するために、例えば、文章データとキャラクターの対応付けをユーザに変更させ、ユーザが希望するキャラクターによる音声メッセージを出力するようにすることも考えられる。しかしこのような構成とした場合には、対応付けを変更したい場合に、その都度ユーザによる操作が必須となり、ユーザが設定画面にてポチポチ設定を変えることになる。つまり、ユーザにとってみれば使い勝手が悪かった。そのため、結果としてこのような設定変更が行われることなく、購入時の設定のまま使用され、複数キャラクターの音声メッセージが有効に活用されないような場合も想定される。
【００１７】
また、二つ目の問題は、音声メッセージを出力するキャラクターを変更したとしても、機器の外観に表わされる意匠は変化しないことである。この点、音声メッセージが異なるキャラクターのものになったとしても、カーナビゲーション装置等の機器の外観に表わされる意匠が変化しないままでは、機器の外観に表わされる意匠と音声メッセージに統一感が感じられない。この観点からも、ユーザの興味を引けない、という問題を完全に解消することはできていなかった。
【００１８】
更に、機器の電源がオフの状態ではその外観に表わされる意匠から機器がどのような内容を報知するのかが分からないという問題がある。
【００１９】
そこで、本発明は、ユーザによる煩雑な操作を要求することなく、機器が表す内容を変更することが可能な、装置及びプログラムを提供することを目的とする。
【課題を解決するための手段】
【００２０】
（１）  当該装置を装着する対象となる機器の意匠を異ならせるための意匠が施される部材と、
所定の情報を前記機器に対して出力する出力手段と、を備え、
前記所定の情報を使用して前記機器が行なう報知の出力内容と、当該装置が前記機器に装着された状態の前記機器の意匠とを知覚したユーザが、該報知の出力内容及び該意匠に統一感を覚えるように、前記部材と前記所定の情報とを組み合わせて構成したことを特徴とする装置。
【００２１】
このようにすれば、装置が備える部材と、装置が備える出力手段によって、ユーザによる煩雑な操作を要求することなく、機器が表す内容を変更することを可能となる。
【００２２】
また、このようにすれば、機器の意匠が表す内容及び機器による報知が表す内容が、これを知覚したユーザが統一感を覚えるものとなり、ユーザの興味を引くことができる。
【００２３】
「本装置」は、装着する対象の機器に装着された場合に、ユーザに視認可能な装置とするとよい。例えば、ユーザが機器を利用する際に、機器と同時にユーザの視野に入る装置とするとよい。このようにすれば、本装置が装着された状態の機器の意匠を、ユーザが機器を利用するたびに容易に知覚可能となるのでよい。
【００２４】
例えば、ユーザが機器の行なう報知の出力内容を知覚する際に、ユーザに視認可能な装置とするなおよい。このようにすれば、報知の出力内容と、本装置が装着された状態の機器の意匠を、ユーザが同時に認識でき、ユーザが報知の出力内容と、本装置が装着された状態の機器の意匠の統一感を、同時に知覚できるのでよい。この統一感により、報知の内容に対して、ユーザの興味を引くことができるのでよい。
【００２５】
「本装置を装着する対象となる機器」は、報知を行なう装置であって、その報知内容をユーザに確実に伝達する必要がある装置であるとよい。例えば、報知により、ユーザに対して、説明、指示、案内及び警告等を行なう装置であるとよい。本装置により、ユーザの報知に対しての興味を引けることから、これらの説明、指示、案内及び警告等をユーザに確実に伝達できるようになるのでよい。
【００２６】
本装置の「装着」は、機器に対して、本装置を取り付け、取り付けられた状態が保持されるようにするとよい。このようにすれば、振動等の要因により本装置が意図せずに外れてしまうようなことを防止できるのでよい。例えば、取り付けられた状態を保持するために、本装置及び前記機器の何れか又は双方が本装置を機器に装着するための機構を備える構成とすると特によい。例えば、本装置及び機器の、一方に爪を設け、他方にこの爪と嵌合するような窪みを設ける構成とするとよい。このようにすれば、爪と窪みが嵌合することにより、装置が容易に外れてしまうようなことを防止できるので特によい。
【００２７】
「部材」は、本装置を機器に装着した際に、部材に施された意匠がユーザに視認できる部分に配置するとよい。このようにすれば、部材に施された意匠により機器の意匠を異ならせることができるのでよい。例えば、ユーザが機器に対して正対して機器を利用するのであれば、機器の前面になるように部材を配置するとよい。
【００２８】
部材に施される「機器の意匠を異ならせるための意匠」は、部材の形状、模様若しくは色彩又はこれらの結合により実現するとよい。また、機器の意匠を異ならせるための本意匠は、ユーザに視認可能とするとよい。更に、機器の意匠を異ならせるための本意匠は、機器に施された意匠とは異なる意匠とするとよい。このようにすれば、本装置を装着した場合にユーザが視認する機器の意匠を、本装置が装着されていない場合にユーザが視認する機器の意匠とは異ならせることができるのでよい。
【００２９】
機器の意匠を異ならせるための本意匠は、例えば、所定のキャラクター、所定の物品及び所定の世界観等を表すものとするとなおよい。このようにすれば、機器が行なう報知の内容もこれら所定のキャラクター、所定の物品及び所定の世界観等を表すものとすることで、統一感を覚えさせることができるのでよい。
【００３０】
「所定の情報」は、機器が報知に使用するデータそのものとするとよい。このようにすれば、機器は出力手段により出力される所定の情報を利用して報知を行なうことができるのでよい。報知に使用するデータそのものとは、例えば、報知に使用する音声データや画像データとするとよい。このようにすれば、機器が、音声データを用いた音声の出力や、画像データを用いた表示により報知を行なうことができるのでよい。また、これら音声データや画像データは、本装置の意匠と統一感を覚える画像データや音声データとするとよい。例えば、本装置の意匠が所定のキャラクター、所定の物品及び所定の世界観等を表すものなのであれば、これと同一の所定のキャラクター、所定の物品及び所定の世界観等を表す音声データとするとよい。このようにすれば、例えば本装置の意匠が表すキャラクターの音声や画像を用いた報知を行なうことができ、このキャラクターを好んでいるユーザの興味を引くことができるのでよい。
【００３１】
また、所定の情報は、機器が本装置の種類を特定するためのデータとするとよい。このようにすれば、所定の情報を入力された機器は、本装置の種類を特定することができ、特定した本装置の種類に応じた報知を行なうことができるのでよい。例えば、本装置を特定した機器が、本装置の意匠が表すキャラクターと対応する、音声データや画像データを機器が使用することにより、このキャラクターを好んでいるユーザの興味を引くことができるのでよい。本装置の種類を特定するためのデータは、本装置の種類を一意に表す識別情報とするとよい。このようにすれば、機器が、識別情報に基づいて本装置の種類を特定す
ることができるのでよい。
【００３２】
「出力手段」は、所定の情報を通信により機器に対して伝達する手段とするとよい。また、出力手段は本装置を機器に装着した場合に出力が可能であればよく、本装置を機器に装着していない場合には、出力ができない手段であってもよい。例えば、出力手段を所定の端子により実現し、本装置を機器に装着した場合に装置側の差し込み口に端子が接続されるようにするとよい。例えば、一般的に広く利用されているＵＳＢ（Universal Serial Bus）規格に準拠した端子とすると、汎用性があるのでなおよい。また、例えば無線通信を行なう機能により出力手段を実現するようにしてもよい。例えば、出力手段をＩＣタグにより実現するとよい。更に、例えば機器からの電力供給を受けて所定の情報を出力するようにしてもよい。例えば、出力手段を実現するＩＣタグをパッシブタグとするとよい。
【００３３】
「ユーザが統一感を覚える」ためには、例えば所定の情報を使用して機器が行なう報知の出力内容と、当該装置が機器に装着された状態の機器の意匠とを同じ雰囲気で統一するようにするとよい。例えば、上述したように、報知の出力内容を或るキャラクターの音声や画像とし、本装置が機器に装着された状態の機器の意匠を、この或るキャラクターを表す意匠とするとよい。
【００３４】
そして「前記部材と前記所定の情報とを組み合わせて構成」として、このように報知の出力内容と、装置が機器に装着された状態の機器の意匠とが同じ雰囲気のもので統一されるように組み合わせた構成とするとよい。例えば、第１のキャラクターを表す意匠が施された部材を備える本装置が、第１のキャラクターの音声や画像による報知を行なうための所定の情報を出力するようにするとよい。また、同様に、第２のキャラクターを表す意匠が施された部材を備える本装置なのであれば、第１のキャラクターではなく、第２のキャラクターの音声や画像による報知を行なうための所定の情報を出力するようにするとよい。こうすることにより、上述したユーザが統一感を覚えることが実現でき、報知に対するユーザの興味を引くことが可能とできるのでよい。この点、仮に、第１のキャラクターを表す意匠が施された部材を備える本装置が、第２のキャラクターの音声や画像による報知を行なうように構成してしまうと、ユーザが報知に対する興味を失い、報知を聞き逃すようなおそれがある。これを防止する観点から、このように、第１のキャラクターを表す意匠が施された部材を備える本装置が、第１のキャラクターの音声や画像による報知を行なうための所定の情報を出力するようにするとよい。
【００３５】
また、この組み合わせが装置ごとに異なるものであるようにしてもよい。つまり、或る本装置では、第１のキャラクターについて組み合わせた本装置と、第２のキャラクターについて組み合わせた本装置と・・・、というように装置毎にユーザが統一感を覚える組み合わせとなっていればよく、他の装置との関係ではユーザが統一感を覚えるようになっていなくてよい。このようにすれば、機器に装着する装置を別の装置に変更することにより、これに合わせて、報知の出力内容と、装置が機器に装着された状態の機器の意匠の組み合わせを変更できるのみならず、変更を行ったとしてもユーザが統一感を覚える組み合わせとできるのでよい。
【００３６】
これらの構成とした場合に、機器をカーナビゲーション装置とし、機器による報知が表す内容を運行案内の音声メッセージとすると特によい。なぜならば、カーナビゲーション装置による運行案内の音声メッセージをユーザの興味を引くことが好ましいものであり、報知が表す内容に対してユーザの興味を引くことができるという本装置の効果がより有益となるからである。また、このようにすれば、ユーザの興味を引くことができることから、ユーザの音声メッセージに対する注意力が低下し、聞き逃しが発生するという事態を防止できるのでよい。また、報知が表す内容に、画面上に表示される運行案内用の情報を含ませるのも特によい。このようにすれば、運行案内用の情報に対してもユーザの興味を引
くことができるのでよい。また、ユーザが、機器の意匠、音声メッセージ及び運行案内用の情報の全てにおいて同一のキャラクターを知覚することにより、このキャラクターの世界に浸れ、より一層の統一感を覚えることができるからである。
【００３７】
更に、機器をカーナビゲーション装置とするならば、本装置は、このカーナビゲーション装置に装着した場合に、ユーザに視認可能な装置とするとよい。例えば、ユーザがカーナビゲーション装置の表示画面を参照する場合に本装置の部材も視認されるように、表示画面と同一面に本装置の部材が装着されるようにするとよい。例えば、カーナビゲーション装置の表示部が、一般的な配置位置であるカーナビゲーション装置の前面に配置されているのであれば、このカーナビゲーション装置の前面に本装置の部材が装着されるようにすると、ユーザが表示部を参照する場合に、部材に施された意匠も参照されるのでよい。
【００３８】
例えば、表示部による表示を妨げず、表示部と共に視認できる位置であるカーナビゲーション装置のフロントベゼルに本装置の部材を装着するようにするとよい。なぜならば、カーナビゲーション装置のフロントベゼルは自動車等を運転中のユーザの視線に入る部分であり、ユーザがフロンベゼルの意匠が表す内容を知覚しやすいからである。
【００３９】
更に、フロンベゼルの意匠が表す内容は何らかの意匠とすると特によい。また、この意匠を、キャラクターを特定できるものとすると特によい。なぜならば、文字等ではなく、キャラクターを表す意匠とすることで、これを参照したユーザが、その内容を瞬時に把握しやすいからである。また、ユーザが好むキャラクターの意匠を見ることができるからである。具体的には、フロントベゼルにキャラクターの画像を印刷したり、或いは３Ｄのデコレーションをフロントベゼルに施すようにしたりするとよい。
【００４０】
（２）  当該装置は前記機器に直接又は間接的に着脱可能であり、前記出力手段は、前記機器に装着された場合に、ユーザの操作を要すること無く前記所定の情報を前記機器に対して出力することを特徴とする装置。
【００４１】
このようにすれば、ユーザは、装置を機器に直接又は間接的に装着することで、他の操作を要すること無く、機器の意匠及び機器による報知が表す内容が統一感を覚えるものとなるのでよい。つまり、ユーザが煩雑な操作を行なう必要が生じないのでよい。
【００４２】
また、このようにすれば、機器を装着する前後で、機器の意匠及び機器による報知が表す内容を異なるものとすることができるのでよい。
【００４３】
装着は、ユーザが任意のタイミングで行なうことができるようにすると特によい。なぜならば、ユーザが希望するタイミングで機器の意匠及び機器による報知の内容を変更することができるからである。また、このようにすれば、ユーザがプライベートの時間に個人的に車を使用する場合にはフロントベゼルを装着してキャラクターの音声データ等を出力し、知人等を乗車させるときはフロントベゼルを取り外すことによりカーナビゲーション装置として一般的な音声データを出力させるようなことができるのでよい。
【００４４】
（３）  当該装置は前記機器に直接又は間接的に着脱可能であり、当該装置が前記機器から取り外された場合に、ユーザの操作を要すること無く前記所定の情報の出力を取り止めることを特徴とする装置。
【００４５】
このようにすれば、ユーザは、装置を機器側から取り外せば、他の操作を要すること無く、機器の意匠と機器による報知が表す内容の双方を、本装置を機器に装着する前の状態に戻すことができる。
【００４６】
取り外しは、ユーザが任意のタイミングで行なうことができるようにすると特によい。なぜならば、ユーザが希望するタイミングで機器の意匠と機器による報知が表す内容の双方を、本装置を装着する前の状態に戻すことができるからである。
【００４７】
また、取り外し後は、再度本装置を装着しない限りは本装置が出力した所定の情報を使用した報知はできないようにすると特によい。なぜならば、取り外し後も、引き続き所定の情報を利用できる構成としてしまうと、１つの装置を使い回すことにより、複数の機器にて所定の情報を利用できることになり、このような利用方法を想定していない場合に、このような利用をされてしまうことを防止できるからである。
【００４８】
（４）  前記所定の情報を使用して前記機器が行なう報知の出力内容、及び当該装置が前記機器に装着された状態の前記機器の意匠は、少なくとも、同一又は関連するキャラクター、同一又は関連する物品、及び、同一又は関連する世界観の何れかを前記ユーザに想起させるものであることを特徴とする装置。
【００４９】
このようにすれば、ユーザは、同一又は関連するキャラクター、同一又は関連する物品、及び、同一又は関連する世界観の何れかを想起させる前記所定の情報を使用して前記機器が行なう報知の出力内容及び当該装置が前記機器に装着された状態の前記機器の意匠を知覚することができるのでよい。
【００５０】
このように、前記前記所定の情報を使用して前記機器が行なう報知の出力内容及び前記当該装置が前記機器に装着された状態の前記機器の意匠は少なくとも、同一又は関連するキャラクターを想起させるものであるという構成にするとよい。このようにすれば、キャラクターという現実に存在しないイメージに基づいてユーザに統一感を覚えさせることができるのでよい。
【００５１】
また、このように同一のキャラクターのみならず、関連するキャラクターを想起させるものとするとよい。なぜならば、例えば同じ作品に登場する別個のキャラクターを使用してユーザに統一感を覚えさせることができるのでよい。
【００５２】
また、このように、前記前記所定の情報を使用して前記機器が行なう報知の出力内容及び前記当該装置が前記機器に装着された状態の前記機器の意匠は少なくとも、同一又は関連する物品を想起させるものである場合のみならず、同一又は関連する物品、及び、同一又は関連する世界観の何れかを想起させるものである場合であってもよい構成にするとよい。このようにすれば、所定のキャラクターに基づいてユーザに統一感を覚えさせるのみならず、所定の物品や所定の世界観に基づいてユーザに統一感を覚えさせることができるのでよい。
【００５３】
（５）  本装置が装着されていない状態の前記機器には前記統一感を阻害する意匠が施されており、当該装置の形状は、当該装置が前記機器に装着された場合に前記統一感を阻害する意匠を前記ユーザに知覚できない状態とする形状であることを特徴とする装置。
【００５４】
このようにすれば、本装置が装着されていない状態の機器には統一感を阻害する意匠が表されている場合に、機器に装着された本装置は、統一感を阻害する意匠をユーザに知覚できない状態とすることができる。このようにすれば、統一感を阻害する内容をユーザに知覚させないことから、機器の意匠が表す内容及び機器による報知が表す内容に基づく統一感を阻害する原因を排除することができるのでよい。統一感を阻害する意匠を知覚できない状態とするためには、具体的には、本装置の形状を、本装置に機器に装着した場合に統一感を阻害する意匠を視認できないようにする形状とするとよい。
【００５５】
統一感を阻害する意匠は、例えば機器のメーカ名を表す文字やロゴ、機器の型番といったものとするとよい。なぜならば、これらの情報は、キャラクター等により表される統一感と関連がないことが多く、これらの情報は統一感を損なう可能性が高いことから、これらの情報をユーザに知覚させないことが好ましいからである。
（６）  前記機器は表示部及び音出力部の何れか又は双方を備えており、
本装置の形状は、前記機器に装着された状態で前記機器が前記表示部及び前記音出力部を使用して行なう前記所定の情報を使用した報知を阻害しない形状であることを特徴とする装置。
【００５６】
このようにすれば、機器に装着された本装置が、機器による報知を阻害しない。そのため、本装置が装着されたとしても、機器による報知の内容が阻害されずにユーザに知覚されるのでよい。
【００５７】
また、このように、本装置の形状を、報知の中でも特に表示部及び音出力部により行われる報知を阻害しない形状とするとよい。このようにすれば、表示部に表される運行案内の表示が見えにくくなったり、音出力部から出力される音声メッセージが聞き取りづらくなったりすることがないのでよい。具体的には、本装置の形状を、本装置を装着しても表示部であるディスプレイに重ならず、且つ、音出力部であるスピーカの出力部分を塞がない形状とするとよい。
【００５８】
（７）  前記所定の情報を使用して前記機器が行なう報知の出力内容、及び本装置が前記機器に装着された状態の前記機器の意匠は、前記ユーザが前記機器を使用中に、前記ユーザが知覚可能であることを特徴とする装置。
【００５９】
このようにすれば、ユーザが機器を操作中であっても、ユーザに統一感を覚える報知の内容及び本装置が機器に装着された状態の機器の意匠を知覚させることから、ユーザの報知に対する興味を引くことができる。
【００６０】
また、このように、所定の情報を使用して機器が行なう報知の出力内容及び本装置が機器に装着された状態の機器の意匠の何れかのみならず、双方を知覚可能とすると特によい。このようにすれば、ユーザは機器の意匠が表す内容及び報知が表す内容の何れかのみならず、双方について、機器を使用中であっても知覚できるのでよい。
【００６１】
更に、上述したように機器をカーナビゲーション装置により実現し、カーナビゲーション装置の操作中のみならず、車等の運転中もカーナビゲーション装置を使用中であるとして機器の意匠が表す内容及び報知が表す内容をユーザが知覚できるようにするとよい。なぜならば、運転中に出力される音声メッセージは、聞き逃すべきものではないため、この運転中に出力される音声メッセージをユーザの興味を引くものとするべきだからである。
【００６２】
（８）  本装置が前記機器に装着された状態の前記機器の意匠は、前記機器が動作していなくとも前記ユーザが知覚可能であることを特徴とする装置。
【００６３】
このようにすれば、機器が動作していなくとも、本装置が機器に装着された状態の機器の意匠を知覚させることから、機器が動作していなくともユーザに意匠を鑑賞させて、ユーザを楽しませることができる。
【００６４】
また、単に機器が動作を停止している状態のみならず、機器の電源が切られていたとしても機器の意匠が表す内容をユーザが知覚可能である構成とすると特によい。こうすると、機器がカーナビゲーション装置である場合に車が停止し、車からの電源の供給がされていない状態であったとしても本装置により変更された機器の意匠が表す内容が知覚できる
のでよい。
【００６５】
（９）  前記機器は前記ユーザの操作を受け付ける機器であり、前記所定の情報を使用して前記機器が行なう報知の出力内容は、前記ユーザの操作受付に関するものであることを特徴とする装置。
【００６６】
このようにすれば、機器の意匠が表す内容及び報知が表す内容をユーザの操作受付に関するものとすることができる。また、ユーザが操作時にも統一感がある内容を知覚することができ、ユーザの興味を引くことができる。
【００６７】
例えば、画面上に表示されるアイコン等のユーザインターフェースも統一感がある内容とすると特によい。このようにすれば、音声メッセージの内容のみが変更される場合に比べて、より一層の統一感が知覚されるのでよい。
【００６８】
（１０）  前記機器は移動体にて使用される機器であり、所定の情報を使用して前記機器が行なう報知の出力内容は、前記ユーザによる前記移動体の移動に関する誘導に用いるものであることを特徴とする装置。
【００６９】
このようにすれば、移動体を誘導するに際して、ユーザの興味を引くことができるのでよい。
【００７０】
また、移動体は例えば自動車とし、機器はカーナビゲーション装置とすると特によい。このようにすれば、カーナビゲーション装置の誘導時の音声ガイダンスを所定のキャラクターの音声により出力したり、ナビ画面上にこの所定のキャラクターを表示させたりすることができるのでよい。そしてこのようにすれば、ガイダンスやナビ画面についてユーザの興味を引くことができ、カーナビゲーション装置として最も重要である、確実な運行案内を行なうことができるのでよい。
【００７１】
（１１）  前記所定の情報として、前記機器が行なう報知に利用するための画像データ及び音声データの何れか又は双方を記憶する記憶手段を備え、
前記出力手段は、前記記憶手段が記憶する画像データ及び音声データの何れか又は双方を、前記所定の情報として、前記機器に対して出力することを特徴とする装置。
【００７２】
このようにすれば、本装置が記憶する画像データ及び音声データの何れか又は双方による報知を行なうことができるのでよい。
【００７３】
また、このようにすれば、機器が記憶していない画像データ及び音声データの何れか又は双方を使用して報知ができるのでよい。具体的には、本装置が出力する情報を記憶するための音源チップを内蔵したフロントベゼルにより本装置を実現するとよい。
【００７４】
更に、機器をカーナビゲーション装置とし、本装置が出力する情報をキャラクターの情報とするとよい。こうすることにより、カーナビゲーション装置を販売後に登場したキャラクターや、あるいはカーナビゲーション装置販売後に流行したキャラクターの情報を事後的に製造した装置に記憶させ、この記憶したキャラクターの情報を使用して運行案内をすることができるのでよい。
【００７５】
（１２）  上記（１）乃至（１０）の何れかに記載の装置と、前記装置を装着する前記機器とを備えたシステムであって、
前記機器は、報知に利用するための画像データ及び音声データの何れか又は双方を記憶する記憶手段を備え、
前記機器は、前記記憶手段が記憶している、該機器に装着された装置の種類に対応する前記画像データ及び音声データの何れか又は双方を利用して報知を行なうことを特徴とするシステム。
【００７６】
このようにすれば、本装置が機器に装着された場合に、本装置の部材に施された意匠に対応する画像データ及び音声データの何れか又は双方による報知を行なうことができるのでよい。
【００７７】
また、このように機器が報知に使用するデータを記憶する構成とすると特によい。これにより、装置が報知に使用する画像データ及び音声データの何れか又は双方を記憶する必要がなくなるのでよい。また、移動中の自動車に機器が搭載されており、外部の機器と通信を行なうことができなくても、本装置の部材に施された意匠に対応する画像データ及び音声データの何れか又は双方を使用した報知を行なうことができる。
【００７８】
更に、本装置が装着されていない場合には、機器が記憶する画像データ及び音声データを使用できないようにすると特によい。このようにすれば、装置を購入したユーザのみに、画像データ及び音声データを使用させることが可能となる。
【００７９】
（１３）  前記装置が備える前記出力手段は、該装置自身の種類を特定するための情報を前記所定の情報として出力し、
前記機器は、出力手段が出力した前記所定の情報に基づいて前記装置の種類を特定し、特定した装置の種類に対応する画像データ及び音声データの何れか又は双方を前記記憶手段から読み出し、読み出した画像データ及び音声データの何れか又は双方を利用して報知を行なうことを特徴とするシステム。
【００８０】
このようにすれば、機器は識別した本装置の種類に応じて、報知に使用する内容を異ならせることができる。そのため、装着する本装置が異なれば、異なる内容の報知を行なうのでよい。例えば、機器の意匠を或るキャラクターの形状に変更する本装置が装着された場合には、この或るキャラクターの音声による報知を行なうようにできるのでよい。
【００８１】
また、このようにすることにより、ユーザが選択したキャラクターの形状に変更する装置を付け替えることにより、ユーザが選択したキャラクターの音声による報知を行なうようにできるのでよい。また、単に装置を付け替えるのみで、例えば日替わりでて異なるキャラクターを選択するようなことができるのでよい。
【００８２】
また、このようにすることにより、装置は報知に使用する画像データ及び音声データを記憶したり出力したりする必要が無くなる。そのため、装置は自身の種類を表す情報のみを持っていれば足りることとなり、装置の構成が簡略化できるのでよい。
【００８３】
（１４）  前記機器と前記装置は相互に通信を行うためのインターフェースをそれぞれ備えており、前記機器に前記装置を装着することにより前記機器と前記装置が備える前記インターフェースが通信可能に接続されることを特徴とするシステム。
【００８４】
このようにすれば、機器に装置を装着するのみで、機器と装置が通信を行えるのでよい。つまり、機器と装置とを通信を行える状態にするための、他の接続作業が不要となるのでよい。このようにすれば、着脱式フロントベゼル（Ｉ／Ｏポート付き）として装置を実現できるのでよい。
【００８５】
例えば、機器と装置のそれぞれに所定の規格に準拠したインターフェースを設け、機器に装置を装着するとこの二つのインターフェースが嵌合するような構成とするとよい。ま
た、この所定の規格をＵＳＢ等の汎用の規格にすることにより、同一の規格に準拠しているパーソナルコンピュータ等の他の装置とも通信可能に接続できるのでよい。
【００８６】
（１５）  前記装置及び前記機器の何れか又は双方は、前記機器に前記装置を着脱させるための機構を備えていることを特徴とするシステム。
【００８７】
このようにすれば、装置を着脱させるための機構を使用して装置を着脱することができるのでよい。
【００８８】
例えば、本装置及び機器の、一方に爪を設け、他方にこの爪と嵌合するような窪みを設ける構成とするとよい。このようにすれば、爪と窪みが嵌合し、装置が容易に外れてしまうようなことを防止できるのでよい。機器をカーナビゲーション装置とした場合には、自動車の移動に伴う振動などが発生するので、このように装置が容易に外れてしまうようなことを防止できる構成は特によい。
【００８９】
また、機器であるカーナビゲーション装置には装置を着脱させるための機構を設けず、本装置にカーナビゲーション装置に引っかかる為の爪を設けるような構成とすると特によい。このようにすれば、カーナビゲーション装置に特段の機構が設けられていなくても、装置をカーナビゲーション装置に装着できるのでよい。
【００９０】
（１６）  前記機器に前記装置を装着した場合に、前記機器が前記装置に電力を供給し、前記機器は該供給された電力により動作することを特徴とするシステム。
【００９１】
このようにすれば、機器に装置を装着した場合に、機器が装置に電力を供給し、機器は該供給された電力により動作する。このようにすれば、装置にバッテリを設けたり、装置を外部電源に接続したりしなくても、装置を動作させることができるのでよい。例えば、機器に装置を装着した場合に、ＵＳＢ規格に準拠した接続が行われるようにするとよい。このようにすれば、情報の送受信と電源の供給が同時に実現できるのでよい。また、装置が供給された電源により駆動することによって情報を出力できるようになるのでよい。
【００９２】
機器をカーナビゲーション装置とした場合には、自動車から電力の供給を受けるが、電力を供給するためのカーチャージャが一つしかない場合が考えられる。しかし、このカーチャージャによりカーナビゲーション装置に電力を供給し、更に、カーナビゲーション装置により装置に電力を供給することにより、カーナビゲーション装置と装置の双方を、一つのカーチャージャにて動作させることができるのでよい。
【００９３】
（１７）  コンピュータを上記（１）乃至（１１）の何れかに記載の装置として機能させることを特徴とするプログラム。
【００９４】
このようにすることで、上記（１）乃至（１１）として記載の構成をコンピュータにより実現することが可能となるのでよい。
【００９５】
また、上記（１）乃至（１１）の何れか１つに記載の構成をコンピュータにより実現するようにしてもよいが、上記（１）乃至（１１）のそれぞれに記載の構成の一部又は全部を組み合わせてコンピュータにより実現するようにしてもよい。つまり、本発明の要旨を変更しない範囲で、上記（１）乃至（１１）に記載の構成要素のそれぞれを任意に組み合わせた構成をコンピュータにより実現するとよい。
【発明の効果】
【００９６】
本発明によれば、ユーザによる煩雑な操作を要求することなく、機器が表す内容を変更
することが可能となる。
【図面の簡単な説明】
【００９７】
【図１】本発明の各実施形態におけるカーナビゲーション装置と脱着ベゼルの接続について表す図である。
【図２】本発明の各実施形態における、脱着ベゼルを未装着状態でのカーナビゲーション装置の外観の概略を表す図である。
【図３】本発明の各実施形態におけるカーナビゲーション装置による表示例について表す図（１／３）である。
【図４】本発明の各実施形態における、第１の脱着ベゼルを装着状態でのカーナビゲーション装置の外観の概略を表す図である。
【図５】本発明の各実施形態におけるカーナビゲーション装置による表示例について表す図（２／３）である。
【図６】本発明の各実施形態における、第２の脱着ベゼルを装着状態でのカーナビゲーション装置の外観の概略を表す図である。
【図７】本発明の各実施形態におけるカーナビゲーション装置による表示例について表す図（３／３）である。
【図８】本発明の第１の実施形態におけるカーナビゲーション装置の機能ブロックを表すブロック図である。
【図９】本発明の第１の実施形態における脱着ベゼルの機能ブロックを表すブロック図である。
【図１０】本発明の第１の実施形態における基本的動作を表すフローチャートである。
【図１１】本発明の第２の実施形態におけるカーナビゲーション装置の機能ブロックを表すブロック図である。
【図１２】本発明の第２の実施形態における脱着ベゼルの機能ブロックを表すブロック図である。
【図１３】本発明の第２の実施形態における基本的動作を表すフローチャートである。
【図１４】本発明の第３の実施形態におけるカーナビゲーション装置による表示例について表す図である。
【図１５】本発明の第３の実施形態におけるカーナビゲーション装置の機能ブロックを表すブロック図である。
【発明を実施するための形態】
【００９８】
次に、本発明の実施形態について図面を参照して詳細に説明する。ここで、本発明の実施形態は、概略、ベゼルをカーナビゲーション装置に着脱可能とし、ベゼル装着時と、ベゼル取外時とで、カーナビゲーション装置の外観及びカーナビゲーション装置が出力する情報の双方を異ならせるというものである。
【００９９】
また、以下の説明では、第１の実施形態、第２の実施形態及び第３の実施形態の３つの実施形態について説明をする。
【０１００】
ここで、第１の実施形態は、ベゼルとカーナビゲーション装置それぞれの機能が協働することにより、カーナビゲーション装置が出力する情報を変更するというものである。
【０１０１】
また、第２の実施形態では、もっぱらカーナビゲーション装置の機能により、カーナビゲーション装置が出力する情報を変更するというものである。
【０１０２】
更に、第３の実施形態は、複数台の装置が連携することにより、装置が出力する情報を変更するというものである。
【０１０３】
［第１の実施形態］
＜カーナビゲーション装置１００への脱着ベゼル２００の装着＞
本実施形態には、カーナビゲーション装置１００と、かかるカーナビゲーション装置１００に装着される脱着ベゼル２００が含まれる。ここで、カーナビゲーション装置１００と脱着ベゼル２００の詳細な構成について説明するのに先立って、まず、カーナビゲーション装置１００への脱着ベゼル２００の装着について説明する。
【０１０４】
図１に、本実施形態であるカーナビゲーション装置１００と脱着ベゼル２００を模式化して示す。図１に示すように、脱着ベゼル２００の装着する前は、カーナビゲーション装置１００が備えるタッチパネル１０２の外周部分である、ベゼル部分が視認可能な状態となっている。
【０１０５】
この状態で、脱着ベゼル２００は、その内側が、ユーザによってカーナビゲーション装置１００が備えるタッチパネル１０２の外周部分であるベゼルの表面部分と重なりあうように装着される。これにより、装着前には視認できたカーナビゲーション装置１００自身が備えるベゼルの表面部分に施された意匠は視認できなくなり、代わりに脱着ベゼル２００の表面の形状や色彩や模様や図柄等といった脱着ベゼル２００に施された意匠が視認される状態となる。
【０１０６】
このようにすれば、カーナビゲーション装置１００に脱着ベゼル２００を装着する前と後とで、カーナビゲーション装置１００の外観に接したユーザが、カーナビゲーション装置１００の意匠から知覚する内容が異なるものとなる。例えば、脱着ベゼル２００を装着する前のカーナビゲーション装置１００の意匠からは特にキャラクターは知覚できないが、脱着ベゼル２００を装着した後のカーナビゲーション装置１００の意匠からは特定のキャラクターを知覚できるようになる。
【０１０７】
一方で、カーナビゲーション装置１００に脱着ベゼル２００が装着されることにより、カーナビゲーション装置接続部２０１とベゼル接続部１０１とが通信可能に接続される。具体的には、カーナビゲーション装置接続部２０１をＵＳＢ規格に準拠したオス端子で実現し、ベゼル接続部１０１をＵＳＢ規格に準拠したメス端子で実現する。そして、カーナビゲーション装置１００に脱着ベゼル２００が装着されると両端子は嵌合し、これに伴い、ＵＳＢ規格に準拠した通信プロトコルによりカーナビゲーション装置１００に脱着ベゼル２００が相互に通信可能な状態となる。
【０１０８】
ベゼル接続部１０１を介してカーナビゲーション装置１００の接続を検出した脱着ベゼル２００は、カーナビゲーション装置１００に対して、ベゼル接続部１０１及びカーナビゲーション装置接続部２０１を介して、運行案内用の音声を変更するための音声データや、運行案内用の画像を変更するための画像データを送信する。
【０１０９】
カーナビゲーション装置１００はこれらの音声データや画像データを受信し、受信したこれらの音声データや画像データを使用して運行案内を行なう。受信したこれらの音声データや画像データは、カーナビゲーション装置１００が予め記憶している運行案内に使用する音声データや画像データとは異なるものである。そのため、カーナビゲーション装置１００に脱着ベゼル２００を装着する前と後とで、出力される音声や表示される画像が異なるものとなる。これに伴い、カーナビゲーション装置１００が行なう運行案内に接したユーザが知覚する内容が異なるものとなる。例えば、脱着ベゼル２００を装着する前の運行案内からは特にキャラクターは知覚できないが、脱着ベゼル２００を装着した後の運行案内からは特定のキャラクターを知覚できるようになる。
【０１１０】
そして、本実施形態では、脱着ベゼル２００を装着した後のカーナビゲーション装置１
００の外観から知覚される内容と、脱着ベゼル２００を装着した後に行われる運行案内の内容を統一感のあるものとする。このようにすることにより、脱着ベゼル２００を装着した後のカーナビゲーション装置１００の意匠と、脱着ベゼル２００を装着した後の運行案内を知覚したユーザはこれらに対して統一感を覚える。これにより、ユーザに運行案内に対して興味を引かせることができ、結果として、ユーザが運行案内の内容に集中することから、運行案内の内容についてユーザに確実に伝達することが可能となる、という効果を奏する。
【０１１１】
また、装着に関連して、カーナビゲーション装置１００に脱着ベゼル２００を装着した後は、脱着ベゼル２００が装着されたカーナビゲーション装置１００を車等で使用した場合に車の移動に伴って生じる振動によって脱着ベゼル２００がカーナビゲーション装置１００から外れないような機構を設ける。
【０１１２】
具体的には、本実施形態では、脱着ベゼル２００のカーナビゲーション装置１００に取り付ける面の筐体の内周の形状を、カーナビゲーション装置１００の筐体の外周の形状と同じ形状で僅かに大きなサイズとする。こうすることにより、脱着ベゼル２００をカーナビゲーション装置１００に取り付けると、脱着ベゼル２００のカーナビゲーション装置１００に取り付ける面の筐体の内周とカーナビゲーション装置１００の筐体の外周が嵌合し、脱着ベゼル２００が振動等により外れることを防止する。また、併せて、ＵＳＢ端子であるカーナビゲーション装置接続部２０１とベゼル接続部１０１が嵌合することによって、脱着ベゼル２００がより外れにくくなる。
【０１１３】
＜脱着ベゼルを脱着した場合の外観及び表示の具体例＞
次に、カーナビゲーション装置１００に脱着ベゼル２００を装着していない状態でのカーナビゲーション装置１００の外観及び画面表示や、カーナビゲーション装置１００に脱着ベゼル２００を装着した場合の外観及び画面表示について、図２乃至図７を用いて説明を行なう。
【０１１４】
まず、図２に、脱着ベゼル２００を装着していない状態のカーナビゲーション装置１００の外観を示す。図２に示すように、カーナビゲーション装置１００の外観は、ベゼル接続部１０１、タッチパネル１０２、図柄１０３、操作ボタン１０４、報知用ＬＥＤ１０５及び記憶媒体挿入部１０１を備える。これら各部の詳細については、図８を用いて後述するので、ここでは、これら各部の機能の概略のみ説明する。
【０１１５】
上述したように、ベゼル接続部１０１は、脱着ベゼル２００を接続するための部分であり、ＵＳＢ規格に準拠したメス端子である。
【０１１６】
タッチパネル１０２は、カーナビゲーション装置１００が、運行案内用の情報を表示すると共に、ユーザの操作を受け付けるための、表示画面付きのタッチパネルである。
【０１１７】
図柄１０３は、カーナビゲーション装置１００に予め施されている図柄であり、本実施形態では、カーナビゲーション装置１００を製造するメーカのロゴが記載されている。
操作ボタン１０４は、ユーザからの操作を受け付ける物理的なボタンである。
【０１１８】
報知用ＬＥＤ１０５は、運行案内に伴う報知を行なうためのＬＥＤ（Light emitting diode）である。
【０１１９】
記憶媒体挿入部１０１は、記憶媒体を挿入するスロットであり、本実施形態では、ＳＤカード（SD Memory Card）を挿入するスロットにより実現する。
【０１２０】
次に、図２に示すようにカーナビゲーション装置１００に脱着ベゼル２００が装着されていない場合に、カーナビゲーション装置１００がタッチパネル１０２に表示する画面の表示例を図３に示す。
【０１２１】
図３に示すように、本例では、表示３０１として、運行案内用の地図を表示すると共に、その地図上に、施設等の位置を表すアイコン及びカーナビゲーション装置１００が搭載されている自動車の現在位置を表すアイコンを表示する。かかる表示３０１は、カーナビゲーション装置１００が、カーナビゲーション装置１００内部の記憶部に格納している地図情報及びＧＰＳ（Global Positioning System）センサによる測位結果に基づいて生成し、タッチパネル１０２上に表示する。
【０１２２】
また、本実施形態では、表示３０２として、進行方向の道路や建物等の画像を三次元にて表示すると共に、更にアイコンを画像に重ねて表示する。また、運行案内用の音声は、特に所定のキャラクター等を想起させるものではない、カーナビゲーション装置で一般的に利用される音声である。かかる表示３０２や運行案内用の音声は、カーナビゲーション装置１００が、カーナビゲーション装置１００内部の記憶部に格納する運行案内用情報に基づいて生成し、タッチパネル１０２上に表示したり、スピーカにより出力したりする。
【０１２３】
図２及び図３に示すように、脱着ベゼル２００を装着していない状態でのカーナビゲーション装置１００の外観及び画面表示は、特定のキャラクター等を特に知覚するものではない。
【０１２４】
次に、脱着ベゼル２００を装着した場合のカーナビゲーション装置１００の外観及び画面表示について説明する。説明の前提として、本実施形態では、脱着ベゼル２００が複数種類存在する。これら複数種類の脱着ベゼル２００は、それぞれの基本的な機能は共通している。しかしながら、複数種類の脱着ベゼル２００は、それぞれ異なる図柄が施されている。また、複数種類の脱着ベゼル２００は、それぞれ異なる画像データや音声データを出力する。この違いについて説明するために、以下では、第１の脱着ベゼル２００を装着した場合と、第２の脱着ベゼル２００を装着した場合について説明する。
【０１２５】
図４に、第１の脱着ベゼル２００を装着したカーナビゲーション装置１００である、カーナビゲーション装置１００−１の外観を示す。図４に示すように、カーナビゲーション装置１００−１の外観は、タッチパネル１０２、図柄１０３、操作ボタン１０４、報知用ＬＥＤ１０５及び記憶媒体挿入部１０１を備える。
【０１２６】
図２に示すカーナビゲーション装置１００との相違点であるが、ベゼル接続部１０１が、装着された第１の脱着ベゼル２００の筐体によりユーザから視認できない状態となる点が相違する。また同様に、図柄１０３−１が、装着された第１の脱着ベゼル２００の筐体によりユーザから視認できない状態となる点が相違する。
【０１２７】
また、装着された第１の脱着ベゼル２００の筐体には、女性のキャラクターを表す図柄である図柄１０３−１が施されている。そのため、図柄１０３ではなく、図柄１０３−１がユーザから視認できる状態となる。
【０１２８】
更に、カーナビゲーション装置１００の外観全体の模様及び色彩は、装着された第１の脱着ベゼル２００の筐体に施された模様及び色彩となる。本実施形態では、図柄１０３−１により表わされる女性キャラクターに関連する模様及び色彩が第１の脱着ベゼル２００の筐体に施されている。
【０１２９】
これらの相違点があることから、カーナビゲーション装置１００−１の外観は、外観を
視認したユーザが、図柄１０３−１により表わされる女性キャラクターを知覚するものとなる。
【０１３０】
次に、図４に示すようにカーナビゲーション装置１００に第１の脱着ベゼル２００が装着されている場合に、カーナビゲーション装置１００がタッチパネル１０２に表示する画面の表示例を図５に示す。
【０１３１】
図５に表すように、表示３０１に関しては、図３と変わらず、同じ内容が表示されている。かかる表示３０１が、カーナビゲーション装置１００が、カーナビゲーション装置１００内部の記憶部に格納している地図情報及びＧＰＳセンサによる測位結果に基づいて生成し、タッチパネル１０２上に表示するものである点も図３と同様である。
【０１３２】
しかし、本例では、図３の表示３０２に代えて表示３０３として、図柄１０３−１により表わされる女性キャラクターの画像を表示する。また、運行案内用の音声は、かかる女性キャラクターの音声とする。
【０１３３】
かかる表示３０２を行なうための画像データや、かかる女性キャラクターの音声を出力するための画像データは、脱着ベゼル２００が出力する。そして、カーナビゲーション装置１００は出力されたデータをベゼル接続部１０１及びカーナビゲーション装置接続部２０１を介して取得する。更に、カーナビゲーション装置１００は取得したデータを用いて表示３０２を行ったり、かかる女性キャラクターの音声を出力したりする。
【０１３４】
これにより、カーナビゲーション装置１００−１の表示画面や出力される音声は、これを知覚したユーザが、図柄１０３−１により表わされる女性キャラクターを知覚するものとなる。
【０１３５】
以上説明したように、カーナビゲーション装置１００−１の外観が表す内容と、カーナビゲーション装置１００が出力する内容である女性キャラクターの画像や音声とが、ユーザに同一の女性キャラクターを知覚させるものとなる。これにより、図３のような表示に比べて各内容が統一感のあるものとなり、ユーザの興味を引くことが可能となる。これにより、ユーザの意識を運行案内に集中させることが可能となる。これにより、ユーザの意識を運行案内や音声ガイダンスに集中させることが可能となる。また、これによりユーザによる運行案内や音声ガイダンスに対する注意力が低下し、聞き逃しが発生するという事態を防止できる。
【０１３６】
次に、図６に、第２の脱着ベゼル２００を装着したカーナビゲーション装置１００である、カーナビゲーション装置１００−２の外観を示す。図６に示すように、カーナビゲーション装置１００−２の外観は、タッチパネル１０２、図柄１０３−２、操作ボタン１０４、報知用ＬＥＤ１０５及び記憶媒体挿入部１０１を備える。
【０１３７】
このように外観に関しては、図４に示すカーナビゲーション装置１００−１と、図６に示すカーナビゲーション装置１００−２は概ね同じである。ただし、カーナビゲーション装置１００−１に装着された第１の脱着ベゼル２００には図柄１０３−１として女性キャラクターが施されていたが、これと異なり、カーナビゲーション装置１００−２に装着された第２の脱着ベゼル２００には図柄１０３−２として猫のキャラクターが施されている。
【０１３８】
更に、全体の模様及び色彩が、装着された第２の脱着ベゼル２００の筐体に施された模様及び色彩となる。本実施形態では、図柄１０３−２により表わされる猫のキャラクターに関連する模様及び色彩が第２の脱着ベゼル２００の筐体に施されている。
【０１３９】
これらの相違点があることから、カーナビゲーション装置１００−２の外観は、外観を視認したユーザが、図柄１０３−２により表わされる猫のキャラクターを知覚するものとなる。
【０１４０】
次に、図６に示すようにカーナビゲーション装置１００に第２の脱着ベゼル２００が装着されている場合に、カーナビゲーション装置１００がタッチパネル１０２に表示する画面の表示例を図７に示す。
【０１４１】
図７に表すように、表示３０１に関しては、図３及び図５と変わらず、同じ内容が表示されている。かかる表示３０１が、カーナビゲーション装置１００が、カーナビゲーション装置１００内部の記憶部に格納している地図情報及びＧＰＳセンサによる測位結果に基づいて生成し、タッチパネル１０２上に表示するものである点も図３及び図５と同様である。
【０１４２】
しかし、本例では、図３の表示３０２や図５の表示３０３に代えて表示３０４として、図柄１０３−２により表わされる猫のキャラクターの画像を表示する。また、運行案内用の音声は、かかる猫のキャラクターの音声とする。
【０１４３】
かかる表示３０２を行なうための画像データや、かかる猫のキャラクターの音声を出力するための画像データは、脱着ベゼル２００が出力する。そして、カーナビゲーション装置１００は出力されたデータをベゼル接続部１０１及びカーナビゲーション装置接続部２０１を介して取得する。更に、カーナビゲーション装置１００は取得したデータを用いて表示３０２を行ったり、かかる猫のキャラクターの音声を出力したりする。
【０１４４】
これにより、カーナビゲーション装置１００−２の表示画面や出力される音声は、これを知覚したユーザが、図柄１０３−２により表わされる猫のキャラクターを知覚するものとなる。
【０１４５】
以上説明したように、カーナビゲーション装置１００−２の外観が表す内容と、カーナビゲーション装置１００が出力する内容である猫のキャラクターの画像や音声とが、ユーザに同一の猫のキャラクターを知覚させるものとなる。これにより、図４及び図５に基づいて説明した、女性キャラクターを知覚させる場合と同様に、ユーザの興味を引くことが可能となる等の効果を奏する。
【０１４６】
更に、本実施形態では、第１の脱着ベゼル２００と第２の脱着ベゼル２００の２つの脱着ベゼルを使用した。このようにすれば、同じカーナビゲーション装置１００であっても脱着ベゼル２００の種類を異なるものとするのみで、カーナビゲーション装置１００の外観及びカーナビゲーション装置１００により出力する表示画像等の内容を、他の外観や他の表示画像に切り替えることができる。
【０１４７】
これにより、ユーザが複数の脱着ベゼル２００を使用することにより、ユーザは運行案内や音声ガイダンスの内容に飽きることが防止でき、より一層ユーザの興味を引くことが可能となる。また、ユーザはその時の自身の気分に合わせて、複数の脱着ベゼル２００を使い分けることができる。
【０１４８】
更に、ユーザは、煩雑な操作を行うことなく、脱着ベゼル２００を装着するのみで、カーナビゲーション装置１００の外観及びカーナビゲーション装置１００により出力する表示画像等の内容を、他の外観や他の表示画像に切り替えることができる。
【０１４９】
なお、第１の脱着ベゼル２００や第２の脱着ベゼル２００を含めた全てのベゼルの形状は、カーナビゲーション装置１００に装着された場合であっても、タッチパネル１０２及び報知用ＬＥＤ１０５を、図２に示す場合と変わらずにユーザが視認できる形状とする。また、脱着ベゼル２００の形状は、タッチパネル１０２及び操作ボタン１０４が、図２に示す場合と変わらずにユーザが操作可能な形状とする。更に、脱着ベゼル２００の形状は、記憶媒体挿入部１０１に、図２に示す場合と変わらずにユーザが記憶媒体を挿入可能な形状とする。
【０１５０】
これを実現するために、本実施形態では、カーナビゲーション装置１００に脱着ベゼル２００を装着した場合に、タッチパネル１０２、操作ボタン１０４、報知用ＬＥＤ１０５及び記憶媒体挿入部１０１と干渉する部分について、脱着ベゼル２００の筐体に穴を設ける。
【０１５１】
＜機能ブロック＞
次に、カーナビゲーション装置１００に含まれる機能ブロックについて説明し、その後、脱着ベゼル２００に含まれる機能ブロックについて説明する。
【０１５２】
図８に示すように、カーナビゲーション装置１００は、ベゼル接続部１０１、表示画面付きのタッチパネル１０２、操作ボタン１０４、報知用ＬＥＤ１０５、記憶媒体挿入部１０６、テレビチューナ１０７、記憶部１０８、ＧＰＳセンサ１０９、制御部１１０及びスピーカ１１１を備える。なお、これらの部分の内、外観に現れる部分については図２を用いて説明した通りである。また、カーナビゲーション装置１００は外観に図柄１０３を備える点も図２を用いて説明した通りである。
【０１５３】
次に、これら各部の機能について、より詳細に説明する。前提として以下の説明においては、カーナビゲーション装置１００を移動体である自動車のダッシュボード上に設置して使用するものとする。例えば自動車のダッシュボード上にブラケットを設置し、カーナビゲーション装置１００の背面側下方に、このブラケットを取り付けて使用する。
【０１５４】
ベゼル接続部１０１は、カーナビゲーション装置１００に脱着ベゼル２００が装着された際に、カーナビゲーション装置１００と脱着ベゼル２００を通信可能に接続するための部分である。ベゼル接続部１０１は、上述したようにＵＳＢ規格に準拠したメス端子により実現する。
【０１５５】
ベゼル接続部１０１は、例えば図２に示すようにカーナビゲーション装置１００の前面であって、カーナビゲーション装置１００に脱着ベゼル２００を装着する場合に、脱着ベゼル２００のカーナビゲーション装置接続部２０１の位置に対向する位置に配置する。こうすると、カーナビゲーション装置１００に脱着ベゼル２００を装着した場合に、ベゼル接続部１０１及びカーナビゲーション装置接続部２０１が通信可能に接続される。このようにすれば、ユーザが、カーナビゲーション装置１００全体と脱着ベゼル２００全体を装着するための動作を行なうことに伴って、同時にベゼル接続部１０１及びカーナビゲーション装置接続部２０１が通信可能に接続されるので、ユーザがベゼル接続部１０１及びカーナビゲーション装置接続部２０１を接続するためだけに何らかの動作を行なう必要が無くなる。
【０１５６】
タッチパネル１０２は、表示画面付きのタッチパネルであり、ユーザから画面を押下されることにより操作を受け付け、受け付けた操作の内容を制御部１１０に出力する。ここで、操作の内容とは押下を受け付けた位置が、タッチパネル１０２の画面上のどの位置であるのかを特定する情報等である。また、タッチパネル１０２は、制御部１１０から入力される画像データを画面上に表示する。更に、タッチパネル１０２は、テレビチューナ１
０７から入力される画像データを画面上に表示する。
操作ボタン１０４は、カーナビゲーション装置１００の筐体に設けられた物理的な操作ボタン１０４であり、ユーザの操作を受け付ける。ここでの操作とは、例えば、操作ボタン１０４の押下である。
【０１５７】
報知用ＬＥＤ１０５は、制御部１１０の制御に基づいて点灯や点滅をする。報知用ＬＥＤ１０５は、ユーザが視認可能な位置に配置する。
【０１５８】
記憶媒体挿入部１０６は、ユーザにより着脱可能な記憶媒体が挿入される部分である。記憶媒体挿入部１０６には、例えば、ＭＰ３（MPEG-1AudioLayer-3）形式の音楽ファイルや、制御部１１０が書き込んだテレビ映像が格納された記憶媒体が挿入される。そして、制御部１１０の制御により、これら音楽ファイルや、テレビ映像は記憶媒体挿入部１０６に挿入された記憶媒体より読み込まれ、スピーカ１１１やタッチパネル１０２から出力される。記憶媒体挿入部１０６は、例えば図２に示すようにカーナビゲーション装置１００の側面に配置し、ユーザが記憶媒体を挿入したり記憶媒体を取り出したりしやすいようにする。
【０１５９】
テレビチューナ１０７は、アンテナ等によりテレビ信号を受信し、受信したテレビ信号を所定の形式の画像データに変換してタッチパネル１０２に出力する。
記憶部１０８は、各種の情報を記憶するフラッシュメモリである。
【０１６０】
例えば記憶部１０８には、カーナビゲーション装置として運行案内を行うための情報である「運行案内用情報」が格納される。具体的には、地図情報、一定の目標物に関する情報、道路の種類を特定するための情報、施設の情報及び住所情報等が格納される。
【０１６１】
また、記憶部１０８には、これらの情報をタッチパネル１０２やスピーカ１１１に出力する際に用いるデータである「標準出力データ」が格納される。標準出力用データには、運行案内用の画面表示を行なうためのアイコンやテキスト等の画像データや、運行案内用の音声、音楽及び警告音等からなる音声データが含まれる。標準出力データが表す内容は、これを知覚したユーザが特に所定のキャラクター等を想起するような内容である必要はない。つまり、標準出力データは、一般的なカーナビゲーション装置が備える汎用の画像データや音声データである。これらの、運行案内用情報及び標準出力データは、制御部１１０に利用される。
【０１６２】
更に、記憶部１０８には、制御部１１０による制御を実現するためのソフトウェアが格納される。この点、本実施形態では、カーナビゲーション装置１００の出荷後に更新されたソフトウェアの最新データや、最新の地図情報等が含まれた最新の運行案内用情報等を使用して、記憶部１０８のソフトウェアをアップデートすることもできる。例えば、最新の追加データが格納された記憶媒体を記憶媒体挿入部１０６に挿入し、記憶媒体挿入部１０６が、この記憶媒体から追加データを読み取って記憶部１０８のソフトウェアをアップデートする。あるいは、カーナビゲーション装置１００にインターネット等の公衆網と接続するための通信機能を持たせ、公衆網を介して最新の追加データを取得し、この追加データを利用して記憶部１０８のソフトウェアをアップデートする。
【０１６３】
また、上述したようにカーナビゲーション装置１００を自動車に設置して使用している場合には、ＧＰＳセンサ１０９が測位した現在位置は自動車の現在位置を表す。そして、制御部１１０は、ＧＰＳセンサ１０９が測位した現在位置及び記憶部に格納されている地図情報等を照らし合わせることにより、自動車の現在位置を含んだ運行案内用の地図を作成し、タッチパネル１０２にこの運行案内用の地図を表示する。また、タッチパネル１０２、スピーカ１１１及び報知用ＬＥＤ１０５を使用して、所定の情報、警報及びメッセー
ジを出力する。制御部１１０がこれらの処理を行うことによりカーナビゲーション機能を実現する。
【０１６４】
ＧＰＳセンサ１０９は、ＧＰＳを利用してカーナビゲーション装置１００の現在位置を測位し、測位した位置情報を制御部１１０に出力する。ここで、位置情報とは例えば、ＧＰＳの規格に準拠した座標情報により実現する。
【０１６５】
スピーカ１１１は、制御部１１０から入力される音楽や音声等の音を出力する。本実施形態では、脱着ベゼル２００が装着されたとしてもスピーカ１１１によって出力される音が脱着ベゼル２００によって遮られないようにする必要がある。そこで、カーナビゲーション装置１００の筐体の内部にスピーカ１１１を実現するためのスピーカユニットを設けると共に、カーナビゲーション装置１００の筐体の背面のスピーカユニットに対応する部分に、スピーカユニットの振動板が生成した音を筐体の外部に導出させるための放音孔を設ける。
【０１６６】
制御部１１０は、カーナビゲーション装置１００に含まれる各部を制御することにより、カーナビゲーション装置１００によるカーナビゲーション機能を実現する部分である。
【０１６７】
制御部１１０は、ＣＰＵ（Central Processing Unit）等の演算装置や、ＲＡＭ（Random Access Memory）やＲＯＭ（Read only memory）等を含んだマイコンにより実現する。そして、ＲＯＭや記憶部１０８に記憶されているソフトウェアをＣＰＵが読み込み、ＲＡＭに展開させながら演算処理を行うことにより制御部１１０による制御を行なう。以下の説明においてカーナビゲーション装置１００が実行する各処理は、特に記載がない場合には、制御部１１０の制御により行われる。
制御部１１０は、カーナビゲーション装置１００が備える各部を以下のように制御する。
【０１６８】
まず、制御部１１０は、ベゼル接続部１０１に脱着ベゼル２００が装着され、カーナビゲーション装置１００と脱着ベゼル２００とが接続されたことを、ベゼル接続部１０１を介して検出する。また、制御部１１０は、ベゼル接続部１０１に脱着ベゼル２００が装着され、カーナビゲーション装置１００と脱着ベゼル２００が接続された場合に、ベゼル接続部１０１を介して脱着ベゼル２００と情報を送受信する。更に、ベゼル接続部１０１から脱着ベゼル２００が取り外され、カーナビゲーション装置１００と脱着ベゼル２００とが接続されていない状態となったことを、ベゼル接続部１０１を介して検出する。
【０１６９】
また、制御部１１０は、タッチパネル１０２が受け付けた操作の内容を入力する。また、表示すべき画像データをタッチパネル１０２に出力する。更に、制御部１１０は、操作ボタン１０４が受け付けた操作の内容を入力する。更に、制御部１１０は、報知用ＬＥＤ１０５を点灯や点滅させることにより、ユーザに対する報知を行う。更に、制御部１１０は、記憶媒体挿入部１０６に挿入された記憶媒体に情報を書き込む。更に、制御部１１０は記憶媒体挿入部１０６に挿入された記憶媒体より情報を読み込む。更に、制御部１１０は、タッチパネル１０２が受け付けた操作に応じてテレビチューナ１０７の制御を行う。更に、制御部１１０は、記憶部１０８に情報を書き込む。更に制御部１１０は記憶部１０８より情報を読み込む。更に、制御部１１０は、ＧＰＳセンサ１０９が測位した位置情報を入力する。更に、制御部１１０は、出力すべき音楽や音声等の音をスピーカ１１１に出力する。
【０１７０】
そして、制御部１１０はこれら各部を利用して運行案内を行なう。まず、制御部１１０は、カーナビゲーション装置１００に脱着ベゼル２００が装着されていない場合には、記憶部１０８に格納されている地図情報等の運行案内用情報と、記憶部１０８に格納されて
いる標準出力データの双方を利用して運行案内を行なう。
【０１７１】
具体的には、運行案内用情報に基づいて運行案内の内容を決定し、決定した運行案内の内容を標準出力データに含まれる画像データによってタッチパネル１０２に出力したり、標準出力データに含まれる音楽データや運行案内用音声データをスピーカ１１１から出力したりすることにより運行案内を行なう。運行案内用情報及び標準出力データの双方を使用した運行案内時の画面表示は図３に示すような、特定のキャラクター等を想起しない表示となる。
【０１７２】
一方で、制御部１１０は、カーナビゲーション装置１００に脱着ベゼル２００が装着されている場合には、記憶部１０８に格納されている地図情報等の運行案内用情報と、後述するベゼル出力データ記憶部２０３に格納されているベゼル出力データの双方を利用して運行案内を行なう。
【０１７３】
具体的には、運行案内用情報に基づいて運行案内の内容を決定し、決定した運行案内の内容をベゼル出力データに含まれる画像データによってタッチパネル１０２に出力したり、ベゼル出力データに含まれる音楽データや運行案内用音声データをスピーカ１１１から出力したりすることにより運行案内を行なう。ここで、ベゼル出力データは特定のキャラクターを想起する画像データや、音声データである。そのため、運行案内用情報及び標準出力データの双方を使用した運行案内時の画面表示は図５や図７に示すような特定のキャラクターを想起する表示となる。
次に、図９を用いて脱着ベゼル２００が備える機能ブロックについて説明をする。
【０１７４】
図９に示すように、脱着ベゼル２００は、カーナビゲーション装置接続部２０１、制御部２０２及びベゼル出力データ記憶部２０３を備える。
【０１７５】
カーナビゲーション装置接続部２０１は、カーナビゲーション装置１００に脱着ベゼル２００が装着された際に、カーナビゲーション装置１００と脱着ベゼル２００を通信可能に接続するための部分である。カーナビゲーション装置接続部２０１は、上述したようにＵＳＢ規格に準拠したオス端子により実現する。
【０１７６】
更に、カーナビゲーション装置接続部２０１は、カーナビゲーション装置１００に脱着ベゼル２００を装着する場合に、カーナビゲーション装置１００のベゼル接続部１０１の位置に対向する位置に配置する。こうすると、カーナビゲーション装置１００に脱着ベゼル２００を装着した場合に、カーナビゲーション装置接続部２０１及びベゼル接続部１０１が通信可能に接続される。カーナビゲーション装置接続部２０１と、脱着ベゼル２００が備えるベゼル接続部１０１が接続することにより、カーナビゲーション装置１００と脱着ベゼル２００は相互に通信を行なうことができる。
【０１７７】
また、カーナビゲーション装置接続部２０１とベゼル接続部１０１とが接続された場合に、脱着ベゼル２００は、カーナビゲーション装置接続部２０１及びベゼル接続部１０１を介してカーナビゲーション装置１００より電力の供給を受ける。これにより、脱着ベゼル２００にバッテリを設ける必要がなくなる。
【０１７８】
制御部２０２は、脱着ベゼル２００全体を制御するための制御部である。制御部２０２は、カーナビゲーション装置１００によるベゼル出力データ記憶部２０３への情報の読み込み及び書き込みを実現するために動作する。制御部２０２は汎用のＵＳＢコントローラにより実現する。
【０１７９】
ベゼル出力データ記憶部２０３は、情報を記憶するための記憶部である。ベゼル出力デ
ータ記憶部２０３には、カーナビゲーション装置１００による運行案内用に用いられるデータである「ベゼル出力データ」が記憶される。ベゼル出力データは、カーナビゲーション装置１００の記憶部１０８に格納されている標準出力データと同等のデータであり、運行案内用の画面表示を行なうためのアイコンやテキスト等の画像データや、運行案内用の音声、音楽及び警告音等からなる音声データが含まれる。ただし、標準出力データとベゼル出力データの具体的な内容は異なる。また、ベゼル出力データが表す内容は、これを知覚したユーザが所定のキャラクター等を想起する内容とする。例えば、図５や図７を用いて説明したように女性キャラクターや、猫のキャラクターを想起する内容とする。
【０１８０】
以上、本実施形態の機能ブロックについて説明したが、以上説明した機能ブロックは、特に本実施形態の特徴に関連するもののみである。例えば、カーナビゲーション装置１００は、以上説明した機能ブロック以外にも、カーナビゲーション装置に一般的に備えられている電源等の機能ブロックを備える。
【０１８１】
＜動作の説明＞
次に、図１０のフローチャートを用いて本実施形態の動作について説明する。
【０１８２】
カーナビゲーション装置１００が起動すると、制御部１１０は、カーナビゲーション装置１００に脱着ベゼル２００の装着が装着されているか否かを判定する（ステップＳ１１）。具体的には、ベゼル接続部１０１が、電荷を放出し、一定期間後の電圧値を測定する、というＵＳＢ３．０に準拠したレシーバ検出と呼ばれる方法にてカーナビゲーション装置接続部２０１がベゼル接続部１０１に接続されているか否かを確認する。そして、カーナビゲーション装置接続部２０１が接続されていることが確認できたならば、カーナビゲーション装置１００に脱着ベゼル２００の装着が装着されていると判断できる。
【０１８３】
ここで、脱着ベゼル２００が装着されていることを検出した場合は（ステップＳ１１においてＹｅｓ）、ステップＳ１２に進む。
【０１８４】
一方、ステップＳ１１において、カーナビゲーション装置接続部２０１が接続されていることが確認できなかった場合には、カーナビゲーション装置１００に脱着ベゼル２００の装着が装着されていないと判断できる。そして、脱着ベゼル２００が装着されていない場合は（ステップＳ１１においてＮｏ）、ステップＳ１５に進む。
【０１８５】
ステップＳ１２では、制御部１１０が、ベゼル接続部１０１とカーナビゲーション装置接続部２０１を介して、脱着ベゼル２００の制御部２０２に対してベゼル出力データの読み出しを要求する。制御部２０２は、この要求に応じてベゼル出力データ記憶部２０３からベゼル出力データを読み出し、読み出したベゼル出力データを制御部１１０へ出力する。
【０１８６】
このようにして、制御部１１０は、新たに装着された脱着ベゼル２００のベゼル出力データを取得する（ステップＳ１２）。
【０１８７】
そして、制御部１１０は、このようにして取得したベゼル出力データと、記憶部１０８に記憶している運行案内用情報を利用して運行案内を行なう（ステップＳ１３）。具体的には、運行案内用情報に基づいて運行案内の内容を決定し、決定した運行案内の内容をベゼル出力データに含まれる或るキャラクターの画像データによってタッチパネル１０２に出力したり、ベゼル出力データに含まれる或るキャラクターの音楽データや運行案内用音声データをスピーカ１１１から出力したりすることにより運行案内を行なう。
【０１８８】
この際の運行案内時の画面表示は図５や図７に示すような特定のキャラクターを想起す
る表示となる。これにより、新たに装着された脱着ベゼル２００の外観の内容と、運行案内に使用される内容とが、これを知覚したユーザが統一感を覚えるものとなる。
【０１８９】
その後、制御部１１０は、運行案内を継続しつつ、脱着ベゼル２００が取り外されたか否かを確認する（ステップＳ１４）。脱着ベゼル２００が取り外されることなく装着されたままであれば（ステップＳ１４においてＮｏ）、ベゼル出力データと、運行案内用情報を利用した運行案内を継続すると共にステップＳ１４における確認を繰り返す（ステップＳ１３、ステップＳ１４）。
【０１９０】
この繰り返しの過程で、現在装着されている脱着ベゼル２００が取り外された場合には（ステップＳ１４においてＹｅｓ）、ステップＳ１５に進む。
【０１９１】
脱着ベゼル２００が装着されていない場合（ステップＳ１１においてＮｏ又はステップＳ１４においてＹｅｓ）に行われるステップＳ１５では、制御部１１０が記憶部１０８から標準出力データを取得する（ステップＳ１５）。
【０１９２】
そして、制御部１１０は、取得した標準出力データと、記憶部１０８に記憶している運行案内用情報を利用して運行案内を行なう（ステップＳ１６）。具体的には、運行案内用情報に基づいて運行案内の内容を決定し、決定した運行案内の内容を標準出力データに含まれる画像データによってタッチパネル１０２に出力したり、標準出力データに含まれる音楽データや運行案内用音声データをスピーカ１１１から出力したりすることにより運行案内を行なう。
【０１９３】
この際の運行案内時の画面表示は図３に示すような特定のキャラクターを想起することのない表示となる。
【０１９４】
その後、制御部１１０は、運行案内を継続しつつ、脱着ベゼル２００が新たに装着されたか否かを確認する（ステップＳ１７）。脱着ベゼル２００が装着されないのであれば（ステップＳ１７においてＮｏ）、ベゼル出力データと、運行案内用情報を利用して運行案内を継続すると共にステップＳ１７における確認を繰り返す（ステップＳ１６、ステップＳ１７）。
【０１９５】
この繰り返しの過程で、脱着ベゼル２００が新たに装着された場合には（ステップＳ１７においてＹｅｓ）、ステップＳ１２に進み、それ以降の処理を継続する。なお、ステップＳ１２以降の処理の内容は、ステップＳ１１においてＹｅｓだった場合にステップＳ１２に進んだ場合と同様であるので、説明を省略する。
【０１９６】
このようにして処理を繰り返しながら、カーナビゲーション装置１００の電源がオフとされるまで、運行案内が行われる。
【０１９７】
以上説明した本実施形態では、脱着ベゼル２００が装着又は取り外されることにより、カーナビゲーション装置１００の外観や、運行案内に用いる画像データや音声データを変更するので、ユーザによる煩雑な操作を要求することなく、ベゼル出力データが表す内容を変更することが可能となる。
【０１９８】
また、本実施形態では、現在装着されている脱着ベゼル２００に対応したベゼル出力データ使用した運行案内を行なう。これにより、本実施形態では、ユーザが脱着ベゼル２００の外観及び運行案内に統一感を覚え、ベゼル出力データが表す内容、すなわち、運行案内の内容にユーザの興味を惹きつけることが可能となる。また、脱着ベゼル２００が装着又は取り付けられたならば、ベゼル出力データが表す内容を変更するので、ユーザによる
煩雑な操作を要求することなく、ベゼル出力データが表す内容を変更ことが可能となる。
【０１９９】
また、本実施形態では、ベゼル出力データを脱着ベゼル２００に記憶させる。そのため、カーナビゲーション装置１００を販売後に登場したキャラクターや、あるいはカーナビゲーション装置販売後に流行したキャラクターの情報を事後的に製造した脱着ベゼル２００に記憶させることができる。こうすることにより、カーナビゲーション装置１００のデータを変更しなくても、この脱着ベゼル２００が記憶したキャラクターの情報を使用して運行案内をすることができるのでよい。
［第２の実施形態］
【０２００】
次に、第２の実施形態について説明する。本実施形態は、ベゼルの脱着があった場合に、カーナビゲーション装置１００の外観や、運行案内に用いる画像データや音声データを変更する、という基本的な構成については第１の実施形態と変わらない。
【０２０１】
ただし、第１の実施形態では、脱着ベゼル２００装着時に使用する運行案内に用いる画像データや音声データをベゼル出力データとして、脱着ベゼル２００がカーナビゲーション装置１００に対して出力していたのに対し、本実施形態では、脱着ベゼル２００装着時に使用する運行案内に用いる画像データや音声データをカーナビゲーション装置１００の記憶部１０８に格納する点において相違する。
【０２０２】
以下、本実施形態の機能ブロック及び本実施形態の動作について説明するが、第１の実施形態と重複する部分についての説明を省略し、かかる相違点についての説明を特に詳細に行なう。
【０２０３】
＜機能ブロック＞
本実施形態には、カーナビゲーション装置４００と、脱着ベゼル５００が含まれる。ここで、カーナビゲーション装置４００は第１の実施形態のカーナビゲーション装置１００に相当するが、一部の機能が相違する。また、脱着ベゼル５００は第１の実施形態の脱着ベゼル２００に相当するが、これも一部の機能が相違する。
【０２０４】
カーナビゲーション装置４００に含まれる機能ブロックを表すブロック図である図１１に示すように、カーナビゲーション装置４００は、タッチパネル４０２、操作ボタン４０４、報知用ＬＥＤ４０５、記憶媒体挿入部４０６、テレビチューナ４０７、記憶部４０８、ＧＰＳセンサ４０９、制御部４１０、スピーカ４１１及びベゼル種類入力部４２１を備える。
【０２０５】
ここで、記憶部４０８及びベゼル種類入力部４２１以外の、タッチパネル４０２、操作ボタン４０４、報知用ＬＥＤ４０５、記憶媒体挿入部４０６、テレビチューナ４０７、記憶部４０８、ＧＰＳセンサ４０９及び制御部４１０は、それぞれがカーナビゲーション装置１００に含まれる同名の機能ブロックと同等の機能ブロックであるので、これらの機能ブロックについては説明を省略する。
【０２０６】
次に、脱着ベゼル５００に含まれる機能ブロックを表すブロック図である図１２に示すように、脱着ベゼル５００は、ベゼル種類出力部５０４を備える。図１２から明らかなように、脱着ベゼル５００は脱着ベゼル２００が備える機能ブロックは含んでおらず、ベゼル種類出力部５０４を備える点で相違している。
【０２０７】
次に、相違点である、記憶部４０８、ベゼル種類入力部４２１及びベゼル種類出力部５０４の３つの機能ブロックについて説明する。
【０２０８】
第１の実施形態における記憶部１０８は、カーナビゲーション装置１００全体を制御するためのソフトウェアに加えて、運行案内を行なうための運行案内用情報と、標準出力データを記憶していた。
【０２０９】
これに対して、記憶部４０８は、カーナビゲーション装置４００全体を制御するためのソフトウェア、運行案内用情報及び標準出力データといった第１の実施形態と同様のデータに加えて、更に複数のベゼル出力データを記憶する。また、記憶部４０８は、これら複数のベゼル出力データと脱着ベゼル５００の種類を紐付けて記憶する。
【０２１０】
また、第１の実施形態におけるベゼル接続部１０１とカーナビゲーション装置接続部２０１は、カーナビゲーション装置１００に脱着ベゼル２００が装着され、カーナビゲーション装置１００と脱着ベゼル２００の間の通信を実現していた。そして、かかる通信により脱着ベゼル２００からカーナビゲーション装置１００に対してベゼル出力データを送信していた。
【０２１１】
これに対して、本実施形態におけるベゼル種類入力部４２１及びベゼル種類出力部５０４は、制御部４１０が脱着ベゼル５００の種類を特定するための機能を有する。具体的には、カーナビゲーション装置４００に脱着ベゼル５００が装着された際に、ベゼル種類出力部５０４は脱着ベゼル５００の種類を、ベゼル種類入力部４２１を介して制御部４１０に出力する。
【０２１２】
そのために、本実施形態では、ベゼル種類入力部４２１をＲＦＩＤ（Radio frequency identifier）による通信を行なうためのリーダにより実現し、ベゼル種類出力部５０４をＲＦＩＤによる通信を行なうためのパッシブ方式のＩＣタグにより実現する。そして、リーダであるベゼル種類入力部４２１は電波を送信する。この場合に、カーナビゲーション装置４００に脱着ベゼル５００が装着されておりベゼル種類入力部４２１とベゼル種類出力部５０４が近接しているのであれば、ベゼル種類出力部５０４はベゼル種類入力部４２１からの電波を一部反射する。そして、ベゼル種類出力部５０４は、この反射波にベゼル種類出力部５０４を備えている脱着ベゼル５００の種類を示す識別子を乗せる。また、反射波に乗せられた識別子を受信したベゼル種類入力部４２１は、識別子に基づいて、装着されている脱着ベゼル５００の種類を特定する。
【０２１３】
そして、制御部４１０は、特定された脱着ベゼル５００の種類と、記憶部４０８に記憶されている、複数のベゼル出力データと脱着ベゼル５００の種類との紐付けとを参照することにより、装着された脱着ベゼル５００に対応するベゼル出力データを特定する。そして、制御部４１０は、記憶部４０８に記憶されている複数のベゼル出力データの内の、特定したベゼル出力データを利用して運行案内を行なう。このベゼル出力データは、第１の実施形態同様に、特定のキャラクターを想起させる画像デーや音声データである。
【０２１４】
以上、本実施形態と第１の実施形態とで相違する機能ブロックについて説明を行った。その他、カーナビゲーション装置４００と脱着ベゼル５００の接続方法については、図１を用いて上述したカーナビゲーション装置１００と脱着ベゼル２００の接続方法と同じである。また、本実施形態における標準出力データや複数種類のベゼル出力データを使用した画面表示の例は、図２乃至７を用いて説明した第１の実施形態の画面表示の例と同じである。従って、これらについての説明は省略する。
【０２１５】
＜動作の説明＞
次に、図１３のフローチャートを用いて本実施形態の動作について説明する。
【０２１６】
カーナビゲーション装置４００が起動すると、制御部４１０は、カーナビゲーション装
置４００に脱着ベゼル５００の装着が装着されているか否かを判定する（ステップＳ２１）。具体的には、ベゼル種類入力部４２１が電波を送信し、この電波がベゼル種類出力部５０４からの反射波として返ってくるかを確認する。そして、反射波が返ってきたならば、カーナビゲーション装置４００に脱着ベゼル５００の装着が装着されていると判断できる。
【０２１７】
ここで、反射波が返ってきて、脱着ベゼル５００が装着されていることを検出した場合は（ステップＳ２１においてＹｅｓ）、ステップＳ２２に進む。
【０２１８】
一方、ステップＳ２１において、反射波が返ってくることなく、カーナビゲーション装置接続部２０１が接続されていることが確認できなかった場合には、カーナビゲーション装置４００に脱着ベゼル５００の装着が装着されていないと判断できる。そして、脱着ベゼル５００が装着されていない場合は（ステップＳ２１においてＮｏ）、ステップＳ２５に進む。
【０２１９】
ステップＳ２２では、制御部４１０は、記憶部４０８に記憶されている複数のベゼル出力データの内の、特定したベゼルの種類に紐付けられているベゼル出力データを取得する（ステップＳ２５）。
【０２２０】
そして、制御部４１０は、このようにして取得したベゼル出力データと、記憶部１０８に記憶している運行案内用情報を利用して運行案内を行なう（ステップＳ２３）。具体的には、運行案内用情報に基づいて運行案内の内容を決定し、決定した運行案内の内容をベゼル出力データに含まれる或るキャラクターの画像データによってタッチパネル１０２に出力したり、ベゼル出力データに含まれる或るキャラクターの音楽データや運行案内用音声データをスピーカ１１１から出力したりすることにより運行案内を行なう。
【０２２１】
この際の運行案内時の画面表示は図５や図７に示すような特定のキャラクターを想起する表示となる。これにより、新たに装着された脱着ベゼル５００の外観の内容と、運行案内に使用される内容とが、これを知覚したユーザが統一感を覚えるものとなる。
【０２２２】
その後、制御部１１０は、運行案内を継続しつつ、脱着ベゼル２００が取り外されたか否かを確認する（ステップＳ２４）。脱着ベゼル２００が取り外されることなく装着されたままであれば（ステップＳ２４においてＮｏ）、ベゼル出力データと、運行案内用情報を利用した運行案内を継続すると共にステップＳ２４における確認を繰り返す（ステップＳ２３、ステップＳ２４）。
【０２２３】
この繰り返しの過程で、現在装着されている脱着ベゼル２００が取り外された場合には（ステップＳ２４においてＹｅｓ）、ステップＳ２５に進む。
【０２２４】
脱着ベゼル２００が装着されていない場合（ステップＳ２１においてＮｏ又はステップＳ２４においてＹｅｓ）に行われる、ステップＳ２５乃至ステップＳ２７の処理については、第１の実施形態におけるステップＳ１５乃至ステップＳ１７の処理と同じであるので、説明を省略する。
【０２２５】
以上説明した本実施形態では、脱着ベゼル５００が装着又は取り外されることにより、カーナビゲーション装置４００の外観や、運行案内に用いる画像データや音声データを変更するので、ユーザによる煩雑な操作を要求することなく、ベゼル出力データが表す内容を変更することが可能となる。
【０２２６】
また、本実施形態では、現在装着されている脱着ベゼル５００に対応したベゼル出力デ
ータ使用した運行案内を行なう。これにより、本実施形態では、ユーザが脱着ベゼル５００の外観及び運行案内に統一感を覚え、ベゼル出力データが表す内容、すなわち、運行案内の内容にユーザの興味を惹きつけることが可能となる。また、脱着ベゼル５００が装着又は取り付けられたならば、ベゼル出力データが表す内容を変更するので、ユーザによる煩雑な操作を要求することなく、ベゼル出力データが表す内容を変更することが可能となる。
【０２２７】
また、本実施形態では、ベゼル出力データを脱着ベゼル５００に記憶させる必要がない。そのため、脱着ベゼル５００にベゼル出力データを記憶するための記憶部を設ける必要がなく、脱着ベゼル５００を筐体と、ＩＣタグにより実現することができる。つまり、第１の実施形態と比較して、脱着ベゼルの構成を簡略化することが可能となる。
【０２２８】
以上、２つの実施形態について説明したが、カーナビゲーション装置１００及びカーナビゲーション装置４００は本発明の「機器」の一例に相当する。また、脱着ベゼル２００及び脱着ベゼル５００は本発明の「装置」の一例に相当する。
【０２２９】
＜変形例＞
また、上述した実施形態は、本発明の好適な実施形態ではあるが、上記実施形態のみに本発明の範囲を限定するものではなく、本発明の要旨を逸脱しない範囲において種々の変更を施した形態での実施が可能である。
【０２３０】
なお、以下の説明では、各実施形態のカーナビゲーション装置１００及びカーナビゲーション装置４００をまとめて、単にカーナビゲーション装置と呼ぶ。また、以下の説明では、各実施形態の脱着ベゼル２００及び脱着ベゼル５００をまとめて、単に脱着ベゼルと呼ぶ。
【０２３１】
例えば、上述の各実施形態では、脱着ベゼルが装着されていない状態のときに、標準出力データを使用して運行案内を行っていた。こうするのではなく、所定の脱着ベゼルが装着されている場合に標準出力データを使用するようにするとよい。例えば、カーナビゲーション装置と同梱して販売される脱着ベゼルを装着されている場合に標準出力データを使用するようにするとよい。これにより、カーナビゲーション装置を使用する際には、常に脱着ベゼルが装着されていることとなり、ベゼル接続部の端子等がユーザの目に入らなくなるのでよい。
【０２３２】
また、カーナビゲーション装置が起動して運行案内を実施中であってもユーザが任意のタイミングで脱着ベゼルを装着又は取り外し可能とするとよい。これにより、カーナビゲーション装置を使用中であっても脱着ベゼルを変更できるのでよい。また、カーナビゲーション装置が起動して運行案内を実施中には、脱着ベゼルを装着又は取り外しできないようにするとよい。これにより、例えばカーナビゲーション装置と脱着ベゼルが通信中に、カーナビゲーション装置や脱着ベゼルが意図せずに取り外され通信途中のデータが破損する等の事態を防止できるのでよい。
【０２３３】
更に、上述の各実施形態では、脱着ベゼル対応したキャラクターを表示する例を述べたが、このように、キャラクター等を表示するのみならず、アイコンやユーザインターフェース等も変更するようにしてもよい。これにより、脱着ベゼルが装着されたカーナビゲーション装置の外観の内容と、運行案内の内容が、より統一感のあるものとなるのでよい。
【０２３４】
また、上述の各実施形態では、女性キャラクターや猫のキャラクターを脱着ベゼルの外観に施すと共に、これらキャラクターの画像データや音声データを使用して、ユーザに統一感を覚えさせていた。これを変形し、キャラクターではなく、物品や世界観を利用して
ユーザに統一感を覚えさせるようにするとよい。
【０２３５】
例えば、世界観を「日本」とし、富士山や東京タワー等を表す意匠を脱着ベゼルの外観に施すと共に、日本の音楽である雅楽等を出力するようにすることによって、ユーザに統一感を覚えさせるようにするとよい。
【０２３６】
また、例えば、画像データや音声データを異なる言語のものにするようにしてもよい。例えば、英国をイメージする意匠を脱着ベゼルの外観に施すと共に、英語の音声データを出力して運行案内をするようにしてもよい。
【０２３７】
更に、上述の各実施形態では、脱着ベゼルの種類に応じてベゼル出力データ利用して行われる運行案内の内容が決定されたが、更に他の観点により運行案内の内容を変更するようにするとよい。例えば、所定の時間以上、所定の頻度以上で頻繁に付け替えた場合や所定回数以上付け替えた場合には特別な音声が流れる、隠しキャラが出現する等の方法により運行案内の内容を変更するとよい。これにより、ユーザに脱着ベゼルの付替えを推奨することができるのでよい。
【０２３８】
更に、上述の説明では、スピーカ１１１をカーナビゲーション装置の背面に配置したが、仮に、スピーカ１１１をカーナビゲーション装置の前面に配置するのであれば、カーナビゲーション装置に脱着ベゼルを装着した場合に、スピーカ１１１と干渉する部分について、２００の筐体に穴を設けるようにするとよい。
【０２３９】
更に、上述の各実施形態では、カーナビゲーション装置に脱着ベゼルを装着することを想定していたが、脱着ベゼルを取り付ける対象をカーナビゲーション装置でなく他の装置とするとよい。例えば、表示装置を有するドライブレコーダ装置や、カーナビゲーション装置としての機能とドライブレコーダ装置としての機能の双方を兼ね備えた装置に適用するようにするとよい。
【０２４０】
更に、上述の各実施形態において、脱着ベゼルの外観にキャラクター等を印刷あるいは立体的な装飾である３Ｄデコを施すようにするとよい。また、脱着ベゼルの形状をカーナビゲーション装置のベゼルの形状とは異ならせるようにするとよい。例えばベゼル出力データが表す内容が或るキャラクターである場合に、脱着ベゼルの形状を、この或るキャラクターの輪郭を形取った形状とするとよい。また、カーナビゲーション装置の外観に、例えば企業ロゴや型番といった、ベゼル出力データが表す内容との統一感を阻害する表示が有る場合に、脱着ベゼルの形状を、これら企業ロゴや型番を隠すような形状とするとよい。例えば、図４や図６に示すように、図２に示す図柄１０３を隠すような形状とするとよい。
【０２４１】
更に、上述の各実施形態において、脱着ベゼルの形状をディスプレイ外周部であるベゼルの形状とするのではなく、他の部分の形状とするとよい。カーナビゲーション装置を利用するユーザが最も視認する箇所はディスプレイである場合には、ディスプレイを視認する際に、一緒に視界に入るベゼルとするとよりユーザに訴えかけることができるのでよい
【０２４２】
更に、上述の各実施形態において、脱着ベゼルに音源チップを内蔵するようにしてもよい。これにより、カーナビゲーション装置に含まれるスピーカを使用しなくても、音声データ等を出力できるのでよい。
【０２４３】
更に、上述の各実施形態において、図１に示すようにタッチパネル１０２が備えられている面であるカーナビゲーション装置の前面から重ね合わせるような方法で脱着ベゼルの装着が行われていた。これを変形し、例えば脱着ベゼルの側面から、カーナビゲーション
装置を長手方向にスライドさせるような方法で装着を行なうようにするとよい。また、例えば脱着ベゼルの上面から、カーナビゲーション装置を短手方向にスライドさせるような方法で装着を行なうようにするとよい。これにより、ベゼル接続部１０１の位置をカーナビゲーション装置の側面や上面とすることができる。そのため、脱着ベゼルを取り外した際に、ベゼル接続部１０１がタッチパネル１０２に正対したユーザの視界に入り込むことを防止できるのでよい。また、何れの場合であっても、ユーザが容易に着脱ベゼルを装着及び取り外しできる機構にするとよい。
【０２４４】
更に、上述の各実施形態において、標準出力データが表す内容は、これを知覚したユーザが特に所定のキャラクター等を想起しない内容であってよいとした。ただし、脱着ベゼルを装着しないカーナビゲーション装置の外観が表す内容が、或るキャラクターを知覚させるものであるような場合には、標準出力データが表す内容を、この或るキャラクターを知覚させるものとするとよい。
【０２４５】
更に、上述の第１の実施形態において、脱着ベゼルからのベゼル出力データは、カーナビゲーション装置のみで利用可能とし、他の装置では利用不可能とするとよい。これにより、カーナビゲーション装置以外の装置であるパーソナルコンピュータ等にて、ベゼル出力データに含まれる画像データや音声データが利用されてしまうことを防止できるのでよい。そのために、ベゼル出力データを暗号化し、カーナビゲーション装置でのみ暗号化されたデータを復号して使用できるようにするとよい。また、カーナビゲーション装置又は脱着ベゼルの一方又は双方に、認証機能を設け、相手方がカーナビゲーション装置又は脱着ベゼルであると認証できた場合にのみベゼル出力データを脱着ベゼルからカーナビゲーション装置に送信できるようにするとよい。
【０２４６】
更に、上述の第１の実施形態では、ベゼル出力データを脱着ベゼルから読み出して利用していた。この際に、ベゼル出力データを利用のたびに逐次読みだすのではなく、ベゼル出力データをカーナビゲーション装置にコピーし、コピーしたベゼル出力データを利用するようにするとよい。これにより、外部の記憶媒体よりも読み込み速度が速い、装置内部の記憶媒体からベゼル出力データを読み込むことができるので良い。
【０２４７】
更に、上述の第１の実施形態において、ベゼル接続部１０１及びカーナビゲーション装置接続部２０１は、本実施形態特有の端子とするとよい。また、ベゼル接続部１０１及びカーナビゲーション装置接続部２０１を汎用の端子で実現すると、専用の端子を設計する必要がなくなるのでよりよい。例えば、ベゼル接続部１０１及びカーナビゲーション装置接続部２０１の一方をＵＳＢ規格に準拠したオス型コネクタで実現し、他方をＵＳＢ規格に準拠したメス型コネクタで実現すると、通信の実現ができると共に、コネクタ同士が嵌合することによってカーナビゲーション装置と脱着ベゼルを固定することができるので更に良い。
【０２４８】
更に、上述の第１の実施形態において、ベゼル出力データ記憶部２０３は、例えばフラッシュメモリ等の駆動部が存在しない記憶装置により実現するとよい。こうすることにより、車等で使用した場合に車の移動に伴って生じる振動によってベゼル出力データ記憶部２０３が故障する可能性を低減できるのでよい。また、一般的にフラッシュメモリは、駆動部の存在するＨＤＤ（Hard disk drive）等の記憶装置に比べて小型且つ軽量であるので、フラッシュメモリを使用することにより、脱着ベゼル全体を小型化したり軽量化したりできるのでよい。
【０２４９】
更に、上述の第２の実施形態ではカーナビゲーション装置に記憶されたベゼル出力データを利用していた。また、上記のように第１の実施形態を変形してベゼル出力データをカーナビゲーション装置にコピーし、コピーしたベゼル出力データを利用するようにするよ
うにしてもよい。これらの場合に、脱着ベゼルが取り外され場合には、現在利用しているベゼル出力データを使用できないようにするとよい。これにより、１つの脱着ベゼルを複数のカーナビゲーション装置に次々と装着することによって複数のカーナビゲーション装置にてベゼル出力データが次々とコピーされ、１つの脱着ベゼルのベゼル出力データを複数のカーナビゲーション装置にて同時に使用されることを防止できるのでよい。また、これにより、現在装着されている脱着ベゼルと対応しないベゼル出力データが利用されることを防止できるのでよい。更に、これにより、ベゼル出力データを不正利用されることを防止できるのでよい。現在利用しているベゼル出力データを使用できないようにするには、ステップＳ１４やステップＳ２４において、脱着ベゼルが取り外されたことが確認できた場合に標準出力データのみ使用可能とし、ベゼル出力データは使用不可能とすればよい。また、現在利用しているベゼル出力データを使用できないようにするには、ステップＳ１４やステップＳ２４において、脱着ベゼルが取り外されたことが確認できた場合に、カーナビゲーション装置に記憶されているベゼル出力データを消去するようにするとよい。
【０２５０】
更に、上述の第２の実施形態において、脱着ベゼルからカーナビゲーション装置へのベゼル種類の通知において、ベゼル種類出力部５０４が脱着ベゼル５００の種類を表す信号をベゼル種類入力部４２１に対して出力し、ベゼル種類入力部４２１がかかる信号を入力し、制御部４１０がかかる信号を解析することにより行なうものとした。このように、信号を送信するのではなく、物理的な形状により、種類の通知が行われるようにするのもよい。こうすることにより、脱着ベゼルに、信号を出力する機能を設ける必要がなくなるのでよい。そのためには例えば、ベゼル種類入力部４２１として４００の外部に複数のスイッチを設けておく。そして、ベゼル種類出力部５０４として、５００の外部にスイッチを押下するための突起を設けておく。また、突起の位置は５００の種類に応じた位置に設けるとする。そして、４００に５００が装着された際に、かかる突起が５００の種類に応じたスイッチを押下するようにする。そして、制御部４１０は何れのスイッチが押下されたかを検出することにより、装着された５００の種類を特定することが可能となるのでよい。
［第３の実施形態］
【０２５１】
次に、第３の実施形態について説明する。上述の第１の実施形態及び第２の実施形態では、カーナビゲーション装置に、脱着ベゼルを装着した。そして、装着する脱着ベゼルの種類を変えることによって、カーナビゲーション装置が出力するメッセージや、カーナビゲーション装置に表示されるキャラクターを変更した。
【０２５２】
これに対して、本実施形態は、カーナビゲーション装置と、レーダ探知機（ＲＤ：Radar detector）とを連携させる。
【０２５３】
具体的には、本実施形態では、カーナビゲーション装置を単体で利用する場合と、カーナビゲーション装置とレーダ探知機を組み合わせて利用する場合とで、カーナビゲーション装置が出力するメッセージや、カーナビゲーション装置に表示されるキャラクターを異ならせる。
【０２５４】
以下、本実施形態について詳細に説明する。ただし、上述した第１の実施形態及び第２の実施形態と重複する部分についての説明は省略し、本実施形態特有の点について特に詳細に説明を行なう。
【０２５５】
＜出力内容の変更＞
まず、本実施形態におけるカーナビゲーション装置の出力内容を変更することについて、図１４に示す画面表示の例を参照して説明する。なお、カーナビゲーション装置が備える機能ブロックや、具体的にどのように出力内容を変更するのかという点については後述
する。
【０２５６】
図１４の上段に、カーナビゲーション装置とレーダ探知機とを連携させることなく、両装置を、それぞれ単独で利用する場合の画面表示の例を示す。
【０２５７】
ここで、図１４の上段の左側には、カーナビゲーション装置の画面６００を示す。かかるカーナビゲーション装置の画面６００には、運行案内用の情報と共に、キャラクター６０１が表示される。
【０２５８】
一方で、図１４の上段の右側には、レーダ探知機の画面７００を示す。かかるレーダ探知機の画面７００には、レーダ探知機が探知した速度取締装置の位置等を表す情報と共に、キャラクター６０１と同じキャラクターであるキャラクター７０１が表示される。
図１４の下段に、カーナビゲーション装置とレーダ探知機とを連携させて利用する場合の画面を示す。
【０２５９】
ここで、図１４の下段の左側には、カーナビゲーション装置の画面６００を示す。かかるカーナビゲーション装置の画面６００には、運行案内用の情報と共に、キャラクター６０１ではなく、異なるキャラクターであるキャラクター６０２が表示される。
【０２６０】
一方で、図１４の下段の右側には、レーダ探知機の画面７００を示す。かかるレーダ探知機の画面７００には、レーダ探知機が探知した速度取締装置の位置等を表す情報と共に、キャラクター７０１が表示される。
【０２６１】
図１４の上段の画面表示と図１４の下段の画面表示とを比較すると、レーダ探知機の画面７００に表示されるキャラクターはキャラクター７０１のままであり変更はない。一方で、カーナビゲーション装置６００の画面に表示されるキャラクターは、キャラクター６０１から、異なるキャラクターであるキャラクター６０２へと変更されている。
【０２６２】
ここで、本実施形態において、カーナビゲーション装置６００の画面に表示されるキャラクターを変更する理由について説明する。
【０２６３】
本実施形態において、かかる画面表示を行っているカーナビゲーション装置と、レーダ探知機とは、同一のキャラクターをモチーフとしている製品である。
【０２６４】
そのため、キャラクター６０１及びキャラクター７０１は、同一のキャラクターであり、その外観は同一となる。また、カーナビゲーション装置と、レーダ探知機が出力する音声メッセージの音声も同一のキャラクターの同一の音声となる。
【０２６５】
また、メッセージの内容についてであるが、カーナビゲーション装置とレーダ探知機とは、その用途及び機能が異なる部分もあるが、重複している部分もある。そのため、同一の内容のメッセージを同一のタイミングで出力することも多い。
このように各メッセージの出力内容やタイミング、メッセージに用いる音声等は両装置で共通する。
【０２６６】
そのため、キャラクター６０１やキャラクター７０１のモチーフとなっているキャラクターのことを好きなユーザが、カーナビゲーション装置とレーダ探知機の双方を購入し、同時に使用したとしても、両装置から同じキャラクターの音声による同じような案内がなされてしまい、ただ単に案内が重複してしまうだけの結果となる。
【０２６７】
このように、同じタイミングで両装置から同時にメッセージが出力されると、ユーザは
各メッセージを聞き取りにくくなる。また、同じ内容の案内が複数回行われたとしても、ユーザが案内から取得できる情報の情報量は増加しない。更に、同じような案内が繰り返したとしても、ユーザの興味を引くことはできず、ユーザの案内に対する興味は薄れる。
【０２６８】
そこで、本実施形態では、カーナビゲーション装置とレーダ探知機が連携することにより、両装置を同時に使用した場合には、カーナビゲーション装置が他のキャラクターによる案内を行なうようにする。
【０２６９】
具体的には、図１４の下段に示すように他のキャラクターを表示する。また、カーナビゲーション装置が出力するメッセージの音声を、かかる他のキャラクターの音声へと変更する。
【０２７０】
更に、単に表示される画像やメッセージの音声を変更するのみならず、メッセージの内容自体も変更する。例えば、両装置が同じ内容のメッセージを出力するのではなく、一方の装置が出力したメッセージと同じ内容のメッセージは他方の装置から出力させず、他方の装置からは異なる内容のメッセージを出力する。つまり、２つの装置を同時に利用している環境下であることを前提としたメッセージを出力するようにする。
【０２７１】
例えば、同じ事象についてのメッセージを出力する場合に、事象が発生後、両装置がタイミングをズラしてメッセージを出力するようにすると良い。このようにすれば、両装置が同時にメッセージを出力してしまい、ユーザが各メッセージを聞き取りにくくなるというようなことが無いので良い。
【０２７２】
また、同じ事象についてのメッセージであっても、メッセージの内容が両装置で異なる内容になるようにすると良い。このようにすれば、ユーザがメッセージから取得できる情報の情報量が増加するので良い。
【０２７３】
更に、キャラクター７０１と所定の関係にある別のキャラクターを、キャラクター６０２とすると良い。このようにすれば、ユーザが、かかる所定の関係に基づいて、両キャラクターより統一した世界観を感じることができるので良い。
【０２７４】
例えば、キャラクター７０１と姉妹の関係にあるキャラクターを、キャラクター６０２とすると良い。そして、両キャラクターが案内の掛け合いをするようにすると、案内の重複感が無くなり、ユーザにとって面白い案内となり得るので良い。また、このようにすれば、ユーザの興味を引くことができ、ユーザがメッセージを集中して聞くこととなるので良い。
【０２７５】
＜機能ブロック＞
次に、本実施形態のカーナビゲーション装置８００に含まれる機能ブロックについて説明をする。ここで、カーナビゲーション装置８００は第１の実施形態のカーナビゲーション装置８００に相当するが、一部の機能が相違するので、かかる相違点について詳細に説明する。
【０２７６】
カーナビゲーション装置８００に含まれる機能ブロックを表すブロック図である図１５に示すように、カーナビゲーション装置８００は、タッチパネル８０２、操作ボタン８０４、報知用ＬＥＤ８０５、記憶媒体挿入部８０６、テレビチューナ８０７、記憶部８０８、ＧＰＳセンサ８０９、制御部８１０、スピーカ８１１及び通信部８１２を備える。
【０２７７】
ここで、記憶部８０８及び通信部８１２以外の、タッチパネル８０２、操作ボタン８０４、報知用ＬＥＤ８０５、記憶媒体挿入部８０６、テレビチューナ８０７、ＧＰＳセンサ
８０９及び制御部８１０は、それぞれがカーナビゲーション装置１００に含まれる同名の機能ブロックと同等の機能ブロックであるので、これらの機能ブロックについては説明を省略する。
【０２７８】
次に、記憶部８０８について説明する。第１の実施形態における記憶部１０８は、カーナビゲーション装置１００全体を制御するためのソフトウェアに加えて、運行案内を行なうための運行案内用情報と、標準出力データを記憶していた。
【０２７９】
これに対して、記憶部８０８は、カーナビゲーション装置８００全体を制御するためのソフトウェア、運行案内用情報及び標準出力データといった第１の実施形態と同様のデータに加えて、更に連携時用出力データを記憶する。
【０２８０】
ここで、連携時用出力データは、上述した各実施形態におけるベゼル出力データに相当するデータである。連携時用出力データは、図１４のキャラクター６０２に対応する画像データや音声データである。
【０２８１】
また、通信部８１２は、連携を行なうレーダ探知機と通信を行なうための通信部である。通信部８１２はブルートゥース（登録商標）の規格に準拠してレーダ探知機と通信を行なう。
【０２８２】
＜レーダ探知機との連携＞
本実施形態では、カーナビゲーション装置８００の制御部８１０が、記憶部８０８において記憶している運行案内用情報と、標準出力データとを利用して運行案内を行なう。かかる運行案内は、図１４の上段のようなキャラクター６０１を利用した運行案内となる。その一方で、制御部８１０は、カーナビゲーション装置８００の通信部８１２が通信可能な範囲にレーダ探知機が在圏しているか否かを探索する。
【０２８３】
そして、レーダ探知機が在圏している場合には、通信部８１２を介して、レーダ探知機と通信を行なう。そして、レーダ探知機との通信により、通信相手のレーダ探知機がカーナビゲーション装置８００と同じキャラクターをモチーフにしたレーダ探知機であるか否かを特定する。かかるレーダ探知機の特定のために、記憶部８０８に、レーダ探知機を識別するための識別情報を記憶しておく。そして、通信相手のレーダ探知機から、自レーダ探知機を識別するための識別情報を通信により取得する。
【０２８４】
そして、記憶している識別情報と、通信により取得した識別情報を突き合わせることにより、通信相手のレーダ探知機が、カーナビゲーション装置８００と同じキャラクターをモチーフにしたレーダ探知機であるか否かを特定することができる。
【０２８５】
そして、通信相手のレーダ探知機がカーナビゲーション装置８００と同じキャラクターをモチーフにしたレーダ探知機であることを特定できた場合には、制御部８１０が、記憶部８０８から連携時用出力データを取得する。
【０２８６】
そして、制御部８１０が、運行案内用情報に基づいて運行案内の内容を決定し、決定した運行案内の内容を連携時用出力データに含まれる画像データによってタッチパネル１０２に出力したり、連携時用出力データに含まれる音楽データや運行案内用音声データをスピーカ１１１から出力したりすることにより運行案内を行なう。
これにより、図１４の下段のようなキャラクター６０２を利用した運行案内を行なうことが可能となる。
【０２８７】
一方で、通信部８１２が通信可能な範囲にレーダ探知機が在圏していない場合や、在圏
しているがカーナビゲーション装置８００と同じキャラクター等をモチーフにしたレーダ探知機ではなかった場合には、図１４の上段のようなキャラクター６０１を利用した運行案内を継続する。
【０２８８】
以上、レーダ探知機との連携について説明した。ここで、レーダ探知機の一般的な構成については、当業者にとってよく知られている。また、本実施形態におけるレーダ探知機は、一般的なレーダ探知機の機能に加えて、カーナビゲーション装置８００に識別情報を送信する機能を追加すれば実現できる。そのため、レーダ探知機の詳細な構成については説明を省略する。
【０２８９】
＜変形例＞
また、上述した第３の実施形態は、本発明の好適な実施形態ではあるが、上記実施形態のみに本発明の範囲を限定するものではなく、本発明の要旨を逸脱しない範囲において種々の変更を施した形態での実施が可能である。
【０２９０】
上述したキャラクター６０２を、カーナビゲーション装置８００及びこれに対応するレーダ探知機といった、所定の二種類の商品を同時に使用しない限り登場しないキャラクターとすると良い。このようにすれば、かかるキャラクターを愛好するマニアに対して二種類の商品を売ることができるので良い。
【０２９１】
また、上述した連携のための通信は、カーナビゲーション装置８００を起動時に行なうようにすると、起動後すみやかにキャラクター６０２を利用した案内を行なうことができるので良い。
【０２９２】
更に、上述した連携のための通信は、ユーザの操作を要すことなく行なうようにすると良い。このようにすれば、ユーザによる煩雑な操作を要求することなく、機器が表す内容を変更するということが可能となるという効果を奏するので良い。
【０２９３】
更に、カーナビゲーション装置とレーダ探知機と言うように、異なる機能の装置が連携するのではなく、同一の機能を備える二台の装置が連携するようにしても良い。例えば、旧型のカーナビゲーション装置と、新型のカーナビゲーション装置が連携して、キャラクターが変更されるようにすると良い、このようにすれば、旧型のカーナビゲーション装置を所有しているユーザに、新型のカーナビゲーション装置を新たに購入する契機を与えることができるので良い。
【０２９４】
上述の説明では、連携時に、レーダ探知機の識別情報を受信するようにしていた。しかし、かかる通信を傍受することで、識別情報が漏洩してしまう可能性がある。そこで、他の情報を受信するようにしても良い。例えば、通信実行時の日付を、所定の計算手順により非可逆に変換（ハッシュ化等）して生成したデータを受信するようにしても良い。そして、カーナビゲーション装置８００でも通信実行時の日付を、所定の計算手順により非可逆に変換（ハッシュ化等）してデータを生成し、生成したデータと受信したデータが同一であるならばキャラクター６０２を利用した案内を行なうようにすると良い。このようにすれば、送信データが傍受されて漏洩したとしても、かかるデータは当日しか利用できず、他の日には利用することができないので、漏洩した際の被害を抑えることができるので良い。
【０２９５】
また、連携時の通信はブルートゥース以外の通信規格に準拠して行なうようにすると良い。この場合に、近距離無線通信を行なうための通信規格を採用すると良い。このようにすれば、近傍に位置しているレーダ探知機以外の他のレーダ探知機と通信をしてしまうことを防止できるので良い。例えば、他の車両に搭載されたレーダ探知機と通信をしてしま
うことを防止できるので良い。
【０２９６】
更に、本実施形態と第１又は第２の実施形態を組み合わせるようにしても良い。このようにすれば、脱着ベゼルの種別が何れの種別であるかということと、及びレーダ探知機と連携を行っているか否かということの２つの基準に基づいて出力する情報を異ならせるようにすることができ、ユーザの選択の幅を広げることができるので良い。
【０２９７】
なお、上記のカーナビゲーション装置及び脱着ベゼルは、ハードウェア、ソフトウェア又はこれらの組み合わせにより実現することができる。また、上記のカーナビゲーション装置及び脱着ベゼルにより行なわれる各処理も、ハードウェア、ソフトウェア又はこれらの組み合わせにより実現することができる。ここで、ソフトウェアによって実現するとは、コンピュータがプログラムを読み込んで実行することにより実現することを意味する。
【０２９８】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)をであってよい。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory）)であってよい。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波であってよい。一時的なコンピュータ可読媒体は、電線及び光ファイバ等の有線通信路、又は無線通信路を介して、プログラムをコンピュータに供給できる。
【０２９９】
また、変形例や各実施形態の内容の構成要素、課題を解決するための手段に記載の要素や思想を適用した要素は、任意に組み合わせて実施形態とするとよい。
【符号の説明】
【０３００】
１００、４００、８００  カーナビゲーション装置
１０１  ベゼル接続部
１０２、４０２、８０２  タッチパネル
１０３、４０３  図柄
１０４、４０４、８０４  操作ボタン
１０５、４０５、８０５  報知用ＬＥＤ
１０６、４０６、８０６  記憶媒体挿入部
１０７、４０７、８０７  テレビチューナ
１０８、４０８、８０８  記憶部
１０９、４０９、８０９  ＧＰＳセンサ
１１０、４１０、８１０  制御部
１１１、４１１、８１１  スピーカ
４２１  ベゼル種類入力部
２００、５００  脱着ベゼル
２０１  カーナビゲーション装置接続部
２０２  制御部
２０３  ベゼル出力データ記憶部
５０４  ベゼル種類出力部
８１２  通信部
【図１】
2020027672.tif 000003
【図２】
2020027672.tif 000004
【図３】
2020027672.tif 000005
【図４】
2020027672.tif 000006
【図５】
2020027672.tif 000007
【図６】
2020027672.tif 000008
【図７】
2020027672.tif 000009
【図８】
2020027672.tif 000010
【図９】
2020027672.tif 000011
【図１０】
2020027672.tif 000012
【図１１】
2020027672.tif 000013
【図１２】
2020027672.tif 000014
【図１３】
2020027672.tif 000015
【図１４】
2020027672.tif 000016
【図１５】
2020027672.tif 000017